(57)【特許請求の範囲】
【請求項１】
基地局装置によって指示された第１時間間隔で上りリンク共有信号を送信し、固定的に割り当てられている第２時間間隔で該上りリンク共有信号を再送するように構成されている移動局であって、
前記第１時間間隔を指示する第１下りリンク制御信号を受信するように構成されている第１受信部と、
前記第１下りリンク制御信号に基づいて、前記第１時間間隔で、前記上りリンク共有信号を送信するように構成されている送信部と、
固定的に割り当てられている第３時間間隔で、第２下りリンク制御信号を受信するように構成されている第２受信部と、
前記第２下りリンク制御信号に基づいて、前記第２時間間隔で、前記上りリンク共有信号を再送するように構成されている再送部とを具備し、
前記第３時間間隔が、前記移動局における測定のための時間間隔と重なっている場合に、前記送信部は、前記第１時間間隔で、前記上りリンク共有信号を送信し、かつ、前記再送部は、前記第２時間間隔で、前記上りリンク共有信号を再送しないように構成されていることを特徴とする移動局。
【請求項２】
基地局装置によって指示された第１時間間隔で上りリンク共有信号を送信し、固定的に割り当てられている第２時間間隔で該上りリンク共有信号を再送するように構成されている移動局であって、
前記第１時間間隔を指示する第１下りリンク制御信号を受信するように構成されている第１受信部と、
前記第１下りリンク制御信号に基づいて、前記第１時間間隔で、前記上りリンク共有信号を送信するように構成されている送信部と、
固定的に割り当てられている第３時間間隔で、第２下りリンク制御信号を受信するように構成されている第２受信部と、
前記第２下りリンク制御信号に基づいて、前記第２時間間隔で、前記上りリンク共有信号を再送するように構成されている再送部とを具備し、
前記第３時間間隔が、前記移動局における測定のための時間間隔と重なっている場合に、前記送信部は、前記第１時間間隔で、前記上りリンク共有信号を送信せず、かつ、前記再送部は、前記第２下りリンク制御信号を受信したか否かに関係なく、前記第２時間間隔で、前記上りリンク共有信号を再送するように構成されていることを特徴とする移動局。
【請求項３】
基地局装置によって指示された第１時間間隔で上りリンク共有信号を送信し、固定的に割り当てられている第２時間間隔で該上りリンク共有信号を再送するように構成されている移動局であって、
前記第１時間間隔を指示する第１下りリンク制御信号を受信するように構成されている第１受信部と、
前記第１下りリンク制御信号に基づいて、前記第１時間間隔で、前記上りリンク共有信号を送信するように構成されている送信部と、
固定的に割り当てられている第３時間間隔で、第２下りリンク制御信号を受信するように構成されている第２受信部と、
前記第２下りリンク制御信号に基づいて、前記第２時間間隔で、前記上りリンク共有信号を再送するように構成されている再送部とを具備し、
前記第３時間間隔が、前記移動局における測定のための時間間隔と重なっている場合に、前記送信部は、前記第１時間間隔で、前記上りリンク共有信号を送信せず、かつ、前記再送部は、前記第２時間間隔で、前記上りリンク共有信号を再送しないように構成されていることを特徴とする移動局。
【請求項４】
基地局装置によって指示された第１時間間隔で上りリンク共有信号を送信し、固定的に割り当てられている第２時間間隔で該上りリンク共有信号を再送するように構成されている移動局であって、
前記第１時間間隔を指示する第１下りリンク制御信号を受信するように構成されている第１受信部と、
前記第１下りリンク制御信号に基づいて、前記第１時間間隔で、前記上りリンク共有信号を送信するように構成されている送信部と、
固定的に割り当てられている第３時間間隔で、第２下りリンク制御信号を受信するように構成されている第２受信部と、
前記第２下りリンク制御信号に基づいて、前記第２時間間隔で、前記上りリンク共有信号を再送するように構成されている再送部とを具備し、
前記第１時間間隔が、前記移動局における測定のための時間間隔と重なっている場合に、前記再送部は、前記第２時間間隔で、前記上りリンク共有信号を再送しないように構成されていることを特徴とする移動局。
【請求項５】
基地局装置によって指示された第１時間間隔で上りリンク共有信号を送信し、固定的に割り当てられている第２時間間隔で該上りリンク共有信号を再送するように構成されている移動局であって、
前記第１時間間隔を指示する第１下りリンク制御信号を受信するように構成されている第１受信部と、
前記第１下りリンク制御信号に基づいて、前記第１時間間隔で、前記上りリンク共有信号を送信するように構成されている送信部と、
固定的に割り当てられている第３時間間隔で、第２下りリンク制御信号を受信するように構成されている第２受信部と、
前記第２下りリンク制御信号に基づいて、前記第２時間間隔で、前記上りリンク共有信号を再送するように構成されている再送部とを具備し、
前記第３時間間隔が、前記移動局における測定のための時間間隔と重なっている場合に、前記第２受信部は、前記第２下りリンク制御信号の情報として肯定応答を受信したと看做すように構成されていることを特徴とする移動局。
【請求項６】
前記再送部は、第３下りリンク制御信号を受信した場合に、該第３下りリンク制御信号によって指示されている時間間隔で、前記上りリンク共有信号を再送するように構成されていることを特徴とする請求項１、３、４又は５に記載の移動局。
【請求項７】
前記第１下りリンク制御信号は、上りリンクスケジューリンググランドであり、
前記第２下りリンク制御信号は、再送を指示する上りリンクスケジューリンググランド又はＨＡＲＱインディケータであることを特徴とする請求項１乃至５のいずれか一項に記載の移動局。
【請求項８】
前記第３下りリンク制御信号は、再送を指示する上りリンクスケジューリンググランドであることを特徴とする請求項６に記載の移動局。
【請求項９】
前記測定のための時間間隔は、同じ周波数の隣接セル、異なる周波数の隣接セル、或いは、異なるシステムの隣接セルにおける受信品質を測定するための時間間隔であることを特徴とする請求項１乃至５のいずれか一項に記載の移動局。
【請求項１０】
移動局から、上りリンク共有信号を受信するように構成されている基地局装置であって、
前記移動局に対して、上りリンク共有信号を送信するための第１時間間隔を指示する第１下りリンク制御信号を送信するように構成されている第１送信部と、
前記第１時間間隔において、前記移動局によって前記第１下りリンク制御信号に基づいて送信された前記上りリンク共有信号を受信するように構成されている第１受信部と、
前記第１受信部における受信結果に基づき、固定的に割り当てられている第３時間間隔で、第２下りリンク制御信号を送信するように構成されている第２送信部と、
前記第２時間間隔において、前記移動局によって前記第２下りリンク制御信号に基づいて再送された前記上りリンク共有信号を受信するように構成されている第２受信部とを具備し、
前記第３時間間隔が、前記移動局における測定のための時間間隔と重なっている場合に、前記第１受信部は、前記第１時間間隔において、前記上りリンク共有信号を受信し、前記第２送信部は、前記第３時間間隔において、前記第２下りリンク制御信号を送信せず、かつ、前記第２受信部は、前記第２時間間隔において、前記上りリンク共有信号を受信しないように構成されていることを特徴とする基地局装置。
【請求項１１】
前記第１受信部が、前記第１時間間隔において、前記上りリンク共有信号の受信に失敗した場合、前記第２送信部は、前記移動局における測定のための時間間隔と重ならない時間間隔において、第３下りリンク制御信号を送信し、かつ、前記第２受信部は、該第３下りリンク制御信号によって指示された時間間隔において、該移動局によって該第３下りリンク制御信号に基づいて再送された該上りリンク共有信号を受信するように構成されていることを特徴とする請求項１０に記載の基地局装置。
【請求項１２】
移動局から、上りリンク共有信号を受信するように構成されている基地局装置であって、
前記移動局に対して、上りリンク共有信号を送信するための第１時間間隔を指示する第１下りリンク制御信号を送信するように構成されている第１送信部と、
前記第１時間間隔において、前記移動局によって前記第１下りリンク制御信号に基づいて送信された前記上りリンク共有信号を受信するように構成されている第１受信部と、
前記第１受信部における受信結果に基づき、固定的に割り当てられている第３時間間隔で、第２下りリンク制御信号を送信するように構成されている第２送信部と、
前記第２時間間隔において、前記移動局によって前記第２下りリンク制御信号に基づいて再送された前記上りリンク共有信号を受信するように構成されている第２受信部とを具備し、
前記第１時間間隔が、前記移動局における測定のための時間間隔と重なっている場合に、前記第１受信部は、前記第１時間間隔において、前記上りリンク共有信号を受信せず、前記第２送信部は、前記第３時間間隔において、前記第２下りリンク制御信号を送信せず、かつ、前記第２受信部は、前記第２時間間隔において、前記上りリンク共有信号を受信しないように構成されていることを特徴とする基地局装置。
【請求項１３】
移動局から、上りリンク共有信号を受信するように構成されている基地局装置であって、
前記移動局に対して、上りリンク共有信号を送信するための第１時間間隔を指示する第１下りリンク制御信号を送信するように構成されている第１送信部と、
前記第１時間間隔において、前記移動局によって前記第１下りリンク制御信号に基づいて送信された前記上りリンク共有信号を受信するように構成されている第１受信部と、
前記第１受信部における受信結果に基づき、固定的に割り当てられている第３時間間隔で、第２下りリンク制御信号を送信するように構成されている第２送信部と、
前記第２時間間隔において、前記移動局によって前記第２下りリンク制御信号に基づいて再送された前記上りリンク共有信号を受信するように構成されている第２受信部とを具備し、
前記第３時間間隔が、前記移動局における測定のための時間間隔と重なっている場合に、前記第２送信部は、前記第２下りリンク制御信号の情報として肯定応答を送信したと看做すように構成されていることを特徴とする基地局装置。
【発明の詳細な説明】
【技術分野】
【０００１】
本発明は、基地局装置によって指示された第１時間間隔で上りリンク共有信号を送信し、固定的に割り当てられている第２時間間隔で該上りリンク共有信号を再送するように構成されている移動局、及び、移動局から上りリンク共有信号を受信するように構成されている基地局装置に関する。
【０００２】
本発明は、特に、ＬＴＥ（Ｌｏｎｇ  Ｔｅｒｍ  Ｅｖｏｌｕｔｉｏｎ）方式の移動局及び基地局装置に関する。
【背景技術】
【０００３】
ＷＣＤＭＡ方式やＨＳＤＰＡ方式の後継となる通信方式、すなわち、ＬＴＥ方式が、ＷＣＤＭＡ方式の標準化団体３ＧＰＰにより検討されている。
【０００４】
かかるＬＴＥ方式では、無線アクセス方式として、下りリンクについては、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）が用いられ、上りリンクについては、ＳＣ-ＦＤＭＡ（Ｓｉｎｇｌｅ-Ｃａｒｒｉｅｒ  Ｆｒｅｑｕｅｎｃｙ  Ｄｉｖｉｓｉｏｎ  Ｍｕｌｔｉｐｌｅ Ａｃｃｅｓｓ）が用いられる（例えば、非特許文献１参照）。
【０００５】
ＯＦＤＭＡは、特定の周波数帯域を、複数の狭い周波数帯域（サブキャリア）に分割し、各周波数帯上にデータを載せて伝送を行う方式である。ＯＦＤＭＡによれば、サブキャリアを、周波数上で一部重なりあいながらも互いに干渉することなく密に並べることで、高速伝送を実現し、周波数の利用効率を上げることができる。
【０００６】
また、ＳＣ-ＦＤＭＡは、特定の周波数帯域を分割し、複数の移動局の間で異なる周波数帯域を用いて伝送することで、複数の移動局の間における干渉を低減することができる伝送方式である。ＳＣ-ＦＤＭＡによれば、送信電力の変動が小さくなる特徴を持つことから、移動局の低消費電力化及び広いカバレッジを実現することができる。
【０００７】
ＬＴＥ方式は、上りリンク及び下りリンク共に、１つ乃至２つ以上の物理チャネルを、複数の移動局で共有して通信を行う移動通信システムである。かかる複数の移動局で共有されるチャネルは、一般に、共有チャネルと呼ばれている。
【０００８】
ＬＴＥ方式では、上りリンクの共有チャネル（物理チャネル）を「物理上りリンク共有チャネル（ＰＵＳＣＨ：  Ｐｈｙｓｉｃａｌ  Ｕｐｌｉｎｋ  Ｓｈａｒｅｄ  Ｃｈａｎｎｅｌ）」と呼び、下りリンクの共有チャネル（物理チャネル）を「物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）」と呼ぶ。
【０００９】
また、上りリンクの共有チャネル（トランスポートチャネル）を「ＵＬ-ＳＣＨ：  Ｕｐｌｉｎｋ  Ｓｈａｒｅｄ  Ｃｈａｎｎｅｌ」と呼び、下りリンクの共有チャネル（トランスポートチャネル）を「ＤＬ-ＳＣＨ：  Ｄｏｗｎｌｉｎｋ  Ｓｈａｒｅｄ  Ｃｈａｎｎｅｌと呼ぶ。
【００１０】
そして、上述の共有チャネルを利用する移動通信システムにおいては、サブフレーム（Ｓｕｂ-ｆｒａｍｅ）（ＬＴＥ方式では、１ｍｓ）毎に、どの移動局に対して上述の共有チャネルを割り当てるかをシグナリングする必要がある。
【００１１】
上述のサブフレームは、一般には、「ＴＴＩ（送信時間間隔：Ｔｒａｎｓｍｉｓｓｉｏｎ  Ｔｉｍｅ  Ｉｎｔｅｒｖａｌ）」と呼ばれてもよい。
【００１２】
かかるシグナリングに用いられる制御チャネルは、ＬＴＥ方式では、「物理下りリンク制御チャネル（ＰＤＣＣＨ：  Ｐｈｙｓｉｃａｌ  Ｄｏｎｗｌｉｎｋ  Ｃｏｎｔｒｏｌ  Ｃｈａｎｎｅｌ）」と呼ばれる。
【００１３】
なお、上述のＰＤＣＣＨは、「下りＬ１/Ｌ２制御チャネル（ＤＬ-Ｌ１/Ｌ２  Ｃｏｎｔｒｏｌ  Ｃｈａｎｎｅｌ）」又は「下りリンク制御情報（ＤＣＩ：  Ｄｏｗｎｌｉｎｋ  Ｃｏｎｔｒｏｌ  Ｉｎｆｏｒｍａｔｉｏｎ）」と呼ばれてもよい。
【００１４】
例えば、物理下りリンク制御チャネル上で送信される情報には、「下りリンクスケジューリング情報又はダウンリンクスケジューリングインフォメーション（Ｄｏｗｎｌｉｎｋ  Ｓｃｈｅｄｕｌｉｎｇ  Ｉｎｆｏｒｍａｔｉｏｎ）」、「上りリンクスケジューリンググランド（Ｕｐｌｉｎｋ  Ｓｃｈｅｄｕｌｉｎｇ  Ｇｒａｎｔ）」、「送信電力制御コマンドビット（Ｔｒａｎｓｍｉｓｓｉｏｎ  Ｐｏｗｅｒ  Ｃｏｎｔｒｏｌ  Ｃｏｍｍａｎｄ  Ｂｉｔ）」等が含まれる（例えば、非特許文献２参照）。
【００１５】
また、下りリンクにおいては、ＨＡＲＱインディケータチャネルを介して、上りリンク共有信号に関するＨＡＲＱインディケータ（ＡＣＫ（Ａｃｋｎｏｗｌｅｇｅｍｅｎｔ）/ＮＡＣＫ（Ｎｅｇａｔｉｖｅ  Ａｃｋｎｏｗｌｅｇｅｍｅｎｔ））が送信される。
【００１６】
かかるＨＡＲＱインディケータチャネルは、物理チャネルとしては、「Ｐｈｙｓｉｃａｌ  Ｈｙｂｒｉｄ  ＡＲＱ  ＩｎｄｉｃａｔｏｒＣｈａｎｎｅｌ（ＰＨＩＣＨ）」である。
【００１７】
上述の下りリンクスケジューリング情報や上りリンクスケジューリンググランドが、どの移動局に対して上述の共有チャネルを割り当てるかについてシグナリングするための情報に相当する。
【００１８】
例えば、上述の下りリンクスケジューリング情報には、下りリンクの共有チャネルに関する「下りリンクのリソースブロック（Ｒｅｓｏｕｒｃｅ  Ｂｌｏｃｋ）の割り当て情報」や「移動局ＵＥのＩＤ」や「ストリームの数」や「プリコーディングベクトル（Ｐｒｅｃｏｄｉｎｇ  Ｖｅｃｔｏｒ）に関する情報」や「データサイズ」や「変調方式」や「ＨＡＲＱ（ｈｙｂｒｉｄ  ａｕｔｏｍａｔｉｃ  ｒｅｐｅａｔ  ｒｅｑｕｅｓｔ）に関する情報」等が含まれる。
【００１９】
なお、上述の下りリンクスケジューリング情報は、「下りリンクスケジューリンググラント」と呼ばれてもよいし、「下りリンクアサインメント情報」と呼ばれてもよい。
【００２０】
例えば、上述の上りリンクスケジューリンググランドには、上りリンクの共有チャネルに関する「上りリンクのリソースの割り当て情報」や「移動局ＵＥのＩＤ」や「データサイズ」や「変調方式」や「上りリンクの送信電力情報」や「アップリンクＭＩＭＯ（Ｕｐｌｉｎｋ  ＭＩＭＯ）におけるデモジュレーションレファレンスシグナル（Ｄｅｍｏｄｕｌａｔｉｏｎ  Ｒｅｆｅｒｅｎｃｅ  Ｓｉｇｎａｌ）の情報」等が含まれる。
【００２１】
ところで、ＬＴＥ方式の上りリンクでは、ＨＡＲＱの方式として、同期型のハイブリッド自動再送制御（Ｓｙｎｃｈｒｏｎｏｕｓ ＨＡＲＱ）が適用されてい。
【００２２】
すなわち、上りリンクの共有チャネルを介して、上りリンク共有信号は、図１８に示すように、初回送信のタイミングから、予め決められたタイミングで、より具体的には、一定の周期で再送される。
【００２３】
図１８においては、８サブフレームの周期で、上りリンク共有信号が再送されている。なお、上りリンク共有信号は、８サブフレーム以外の周期で再送されてもよい。
【００２４】
また、上りリンク共有信号の再送は、ＨＡＲＱインディケータ、又は、上りリンクスケジューリンググランドにより、基地局装置から移動局に対して指示される。
【００２５】
ＨＡＲＱインディケータにより、上りリンク共有信号の再送が指示される場合には、移動局は、前回の送信と同じリソースブロック及び変調方式を用いて、上りリンク共有信号を再送する。
【００２６】
一方、上りリンクスケジューリンググランドにより、上りリンク共有信号の再送が指示される場合には、移動局は、かかる上りリンクスケジューリンググランドにより指定されるリソースブロック及び変調方式を用いて、上りリンク共有信号を再送する。
【００２７】
ＬＴＥ方式の上りリンクにおけるＨＡＲＱ制御に関して、図１９を用いて、より詳しく説明する。図１９に、上りリンクにおけるＨＡＲＱの処理の一例を示す。
【００２８】
図１９に示すように、２０２（サブフレーム＃ｉ）（ｉは、ｉ＞０の整数）において、基地局装置は、物理下りリンク制御チャネルにおける上りリンクスケジューリンググランドを用いて、移動局に、サブフレーム＃ｉ＋４において、上りリンクの共有チャネルを用いた通信を行うことを指示する。
【００２９】
２０４（サブフレーム＃ｉ＋４）において、移動局は、基地局装置に対して、上りリンク共有信号を送信し、基地局装置は、かかる上りリンク共有信号を受信して復号を試みる。
【００３０】
２０６（サブフレーム＃ｉ＋８）において、基地局装置は、かかる復号結果に基づいて、ＨＡＲＱインディケータ又は上りリンクスケジューリンググランドを送信する。
【００３１】
より具体的には、基地局装置は、上りリンク共有信号の復号結果がＯＫであった場合には、ＨＡＲＱインディケータ（ＡＣＫ）を送信する。
【００３２】
或いは、基地局装置は、当該移動局の送信バッファ内に新規に送信すべきデータが存在する場合には、上りリンク共有信号の送信を指示する上りリンクスジューリンググランドを、新規に送信してもよい。
【００３３】
一方、基地局装置は、上りリンク共有信号の復号結果がＮＧであった場合には、ＨＡＲＱインディケータ（ＮＡＣＫ）を送信するか、又は、上りリンク共有信号の再送を指示する上りリンクスケジューリンググランドを送信する。
【００３４】
２０６（サブフレーム＃ｉ＋８）において、ＨＡＲＱインディケータチャネルを介してＮＡＣＫが送信された場合、又は、上りリンク共有信号の再送を指示する上りリンクスケジューリンググランドが送信された場合、移動局は、サブフレーム＃ｉ＋１２において、上りリンク共有信号を再送する（２０８）。
【００３５】
なお、２０６（サブフレーム＃ｉ＋８）において、ＨＡＲＱインディケータチャネルを介してＡＣＫが送信された場合、又は、新規の上りリンク共有信号の送信を指示する上りリンクスケジューリンググランドが送信された場合、２０４で送信された上りリンク共有信号は、サブフレーム＃ｉ＋１２において再送されない。
【００３６】
ところで、一般的に、移動通信システムでは、移動局は、通信を行っているセルから隣接セルに移動する場合には、通信を行う基地局装置を切り替えるハンドオーバ（ＨＯ：Ｈａｎｄｏｖｅｒ）が行われる。
【００３７】
そして、移動局は、かかるハンドオーバに先だって、ハンドオーバ先の候補とする隣接セルにおける通信品質を測定し、測定結果を基地局に報告する。
【００３８】
例えば、かかる通信品質としては、リファレンス信号の受信レベルや受信ＳＩＮＲ等が想定される。
【００３９】
基地局装置への測定報告は、「メジャーメントレポート（Ｍｅａｓｕｒｅｍｅｎｔ  Ｒｅｐｏｒｔ）」により行われる。
【００４０】
基地局装置は、メジャーメントレポートに基づいて、移動局がハンドオーバすべきことを決定し、ハンドオーバを指示するメッセージが、移動局に「ハンドオーバコマンド（Ｈａｎｄｏｖｅｒ  Ｃｏｍｍａｎｄ）」として通知される。
【００４１】
ここで、ハンドオーバ先のセルは、同一システム内の同一周波数のセルだけでなく、同一システム内の異なる周波数のセルであるかもしれないし、異なる無線アクセス技術（ＲＡＴ：Ｒａｄｉｏ  Ａｃｃｅｓｓ  Ｔｅｃｈｎｏｌｏｇｙ）を使用しているセルかもしれない。
【００４２】
異なる無線アクセス技術を使用しているセルの周波数は、一般的に、ハンドオーバ元と異なる周波数であるため、必然的に、ハンドオーバ先のセルの周波数は、ハンドオーバ元のセルの周波数と異なる。
【００４３】
図２０は、異周波数のセル間のハンドオーバが行われる様子を模式的に示す。図２０では、第１周波数ｆ１を使用する移動通信システム及び第２周波数ｆ２を使用する移動通信システムを含むＬＴＥ方式の移動通信システムと、ｆ１及びｆ２とは異なる周波数ｆ３を使用するＷＣＤＭＡ方式の移動通信システムとが示されている。
【００４４】
異周波数の移動通信システム間で、或いは、異ＲＡＴの移動通信システム間で、ハンドオーバを行う技術については、例えば、非特許文献２、３に記載されている。
【００４５】
ところで、一般に、移動局は、無線信号処理部を１つしか備えていないので、異なる周波数の各々について同時に信号の送受信を行うことはできない。このため、在圏セル（サービングセル）の周波数と異なる周波数のセル（異周波数セル）における測定を行う場合、受信周波数を同調し直す必要がある。
【００４６】
よって、基地局装置が、移動局に対して、測定のためのギャップ期間を通知し、移動局は、当該ギャップ期間において、異周波数セルにおける測定を行う。
【００４７】
より具体的には、例えば、基地局装置は、ＲＲＣメジャーメントコントロールにより、「ギャップ期間の長さ」や「ギャップ期間の訪れる周期」や「異周波数セルの周波数」等が、移動局に対して通知し、移動局は、指定されたギャップ期間の間に、異周波数セルにおける測定（周波数の変更、同期チャネルの捕捉、品質測定、周波数の変更等の処理を含む）を行う。
【００４８】
例えば、上述のギャップ期間は、ギャップ期間と呼ばれてもよい。図２１に、かかるギャップ期間のイメージ図を示す。図２１においては、ギャップ期間の長さが「６ｍｓ」のギャップ期間が、４０ｍｓ周期で設定されている。
【００４９】
なお、本明細書における「異周波数測定」は、異周波数のセルをサーチし、かかるセルにおける通信品質を測定するだけでなく、異ＲＡＴのセルをサーチし、かかるセルにおける通信品質を測定することも含む概念である。
【００５０】
上述したように、移動局は、ギャップ期間に、異周波数測定を行うため、結果として、上述のギャップ期間においては、在圏セル（サービングセル）における基地局装置との通信を行うことができない。
【００５１】
以下では、上述のギャップ期間が存在する場合の上りリンクにおけるＨＡＲＱ制御について、図２２を用いて説明を行う。
【００５２】
図２２においては、ギャップ期間がサブフレーム＃ｉ＋１からサブフレーム＃ｉ＋６において設定されている。すなわち、上りリンク共有信号を送信するサブフレーム（＃ｉ＋４）が、ギャップ期間に含まれている。
【００５３】
この場合、５０２（サブフレーム＃ｉ）において、基地局装置が、物理下りリンク制御チャネルにおける上りリンクスケジューリンググランドを用いて、移動局に対して、サブフレーム＃ｉ＋４において、上りリンクの共有チャネルを用いた通信を行うことを指示したとしても、移動局は、５０４において、上りリンク共有信号の送信を行うことができない。
【００５４】
すなわち、移動局は、５０４において、上りリンク共有信号の送信をスキップする。かかる場合、移動局は、５０８において、上りリンク共有信号の再送を行うことが提案されている（非特許文献４）。
【００５５】
ここで、５０８における上りリンク共有信号の送信は、実質的には、初回の送信となるが、ＨＡＲＱの送信回数という点では、２回目の送信となる。
【非特許文献１】３ＧＰＰ  ＴＳ３６.２１１（Ｖ８.１.０）、“Ｐｈｙｓｉｃａｌ  Ｃｈａｎｎｅｌ  ａｎｄ  Ｍｏｄｕｌａｔｉｏｎ”、２００７年１１月
【非特許文献２】３ＧＰＰ  ＴＳ３６.３００（Ｖ８.３.０）、“Ｅ−ＵＴＲＡ  ａｎｄ  Ｅ−ＵＴＲＡＮ  Ｏｖｅｒａｌｌ  ｄｅｓｃｒｉｐｔｉｏｎ”、２００７年１１月
【非特許文献３】３ＧＰＰ  ＴＳ３６.３３１（Ｖ８.０.０）、“Ｅ−ＵＴＲＡ  Ｒａｄｉｏ  Ｒｅｓｏｕｒｃｅ  Ｃｏｔｒｏｌ  Ｐｒｏｔｏｃｏｌ  ｓｐｅｃｉｆｉｃａｔｉｏｎ”、２００７年１２月
【非特許文献４】３ＧＰＰ  ＴＳ３６.３２１（Ｖ８.１.０）、“Ｅ−ＵＴＲＡ  ＭｅｄｉｕｍＡｃｃｅｓｓ  Ｃｏｔｒｏｌ  Ｐｒｏｔｏｃｏｌ  ｓｐｅｃｉｆｉｃａｔｉｏｎ”、２００８年３月
【発明の開示】
【発明が解決しようとする課題】
【００５６】
しかしながら、上述したギャップ期間が存在する場合の上りリンクにおけるＨＡＲＱ制御方法には、以下のような問題点がある。
【００５７】
第１に、図２３に示すように、上述のギャップ期間は、上りリンク共有信号を送信するサブフレーム（６０４）を含んではいないが、かかる上りリンク共有信号に関するＨＡＲＱインディケータ又は再送を指示する上りリンクスケジューリンググランドを送信するサブフレーム（６０６）を含んでいるという場合の制御方法が明確化されていない。
【００５８】
第２に、図２４に示すように、上述のギャップ期間が、上りリンク共有信号を送信するサブフレーム（６０４）、及び、かかる上りリンク共有信号に関するＨＡＲＱインディケータ又は再送を指示する上りリンクスケジューリンググランドを送信するサブフレーム（６０６）の両方を含んでいるという場合の制御方法が明確化されていない。
【００５９】
そこで、本発明は、上述の課題に鑑みてなされたものであり、ギャップ期間が存在する場合の上りリンクにおけるＨＡＲＱ制御方法に関して、効率良く、かつ、ＲｏｂｕｓｔなＨＡＲＱ制御を実現することを可能とする移動局及び基地局装置を提供することを目的とする。
【課題を解決するための手段】
【００６０】
本発明の第１の特徴は、基地局装置によって指示された第１時間間隔で上りリンク共有信号を送信し、固定的に割り当てられている第２時間間隔で該上りリンク共有信号を再送するように構成されている移動局であって、前記第１時間間隔を指示する第１下りリンク制御信号を受信するように構成されている第１受信部と、前記第１下りリンク制御信号に基づいて、前記第１時間間隔で、前記上りリンク共有信号を送信するように構成されている送信部と、固定的に割り当てられている第３時間間隔で、第２下りリンク制御信号を受信するように構成されている第２受信部と、前記第２下りリンク制御信号に基づいて、前記第２時間間隔で、前記上りリンク共有信号を再送するように構成されている再送部とを具備し、前記第３時間間隔が、前記移動局における測定のための時間間隔と重なっている場合に、前記送信部は、前記第１時間間隔で、前記上りリンク共有信号を送信し、かつ、前記再送部は、前記第２時間間隔で、前記上りリンク共有信号を再送しないように構成されていることを要旨とする。
【００６１】
本発明の第２の特徴は、基地局装置によって指示された第１時間間隔で上りリンク共有信号を送信し、固定的に割り当てられている第２時間間隔で該上りリンク共有信号を再送するように構成されている移動局であって、前記第１時間間隔を指示する第１下りリンク制御信号を受信するように構成されている第１受信部と、前記第１下りリンク制御信号に基づいて、前記第１時間間隔で、前記上りリンク共有信号を送信するように構成されている送信部と、固定的に割り当てられている第３時間間隔で、第２下りリンク制御信号を受信するように構成されている第２受信部と、前記第２下りリンク制御信号に基づいて、前記第２時間間隔で、前記上りリンク共有信号を再送するように構成されている再送部とを具備し、前記第３時間間隔が、前記移動局における測定のための時間間隔と重なっている場合に、前記送信部は、前記第１時間間隔で、前記上りリンク共有信号を送信せず、かつ、前記再送部は、前記第２下りリンク制御信号を受信したか否かに関係なく、前記第２時間間隔で、前記上りリンク共有信号を再送するように構成されていることを要旨とする。
【００６２】
本発明の第３の特徴は、基地局装置によって指示された第１時間間隔で上りリンク共有信号を送信し、固定的に割り当てられている第２時間間隔で該上りリンク共有信号を再送するように構成されている移動局であって、前記第１時間間隔を指示する第１下りリンク制御信号を受信するように構成されている第１受信部と、前記第１下りリンク制御信号に基づいて、前記第１時間間隔で、前記上りリンク共有信号を送信するように構成されている送信部と、固定的に割り当てられている第３時間間隔で、第２下りリンク制御信号を受信するように構成されている第２受信部と、前記第２下りリンク制御信号に基づいて、前記第２時間間隔で、前記上りリンク共有信号を再送するように構成されている再送部とを具備し、前記第３時間間隔が、前記移動局における測定のための時間間隔と重なっている場合に、前記送信部は、前記第１時間間隔で、前記上りリンク共有信号を送信せず、かつ、前記再送部は、前記第２時間間隔で、前記上りリンク共有信号を再送しないように構成されていることを要旨とする。
【００６３】
本発明の第４の特徴は、基地局装置によって指示された第１時間間隔で上りリンク共有信号を送信し、固定的に割り当てられている第２時間間隔で該上りリンク共有信号を再送するように構成されている移動局であって、前記第１時間間隔を指示する第１下りリンク制御信号を受信するように構成されている第１受信部と、前記第１下りリンク制御信号に基づいて、前記第１時間間隔で、前記上りリンク共有信号を送信するように構成されている送信部と、固定的に割り当てられている第３時間間隔で、第２下りリンク制御信号を受信するように構成されている第２受信部と、前記第２下りリンク制御信号に基づいて、前記第２時間間隔で、前記上りリンク共有信号を再送するように構成されている再送部とを具備し、前記第１時間間隔が、前記移動局における測定のための時間間隔と重なっている場合に、前記再送部は、前記第２時間間隔で、前記上りリンク共有信号を再送しないように構成されていることを要旨とする。
【００６４】
本発明の第１、３及び４の特徴において、前記再送部は、第３下りリンク制御信号を受信した場合に、該第３下りリンク制御信号によって指示されている時間間隔で、前記上りリンク共有信号を再送するように構成されていてもよい。
【００６５】
ここで、前記第３下りリンク制御信号は、再送を指示する上りリンクスケジューリンググランドであってもよい。
【００６６】
本発明の第１乃至４の特徴において、前記第１下りリンク制御信号は、上りリンクスケジューリンググランドであり、前記第２下りリンク制御信号は、再送を指示する上りリンクスケジューリンググランド又はＨＡＲＱインディケータであってもよい。
【００６７】
本発明の第１乃至４の特徴において、前記測定のための時間間隔は、同じ周波数の隣接セル、異なる周波数の隣接セル、或いは、異なるシステムの隣接セルにおける受信品質を測定するための時間間隔であってもよい。
【００６８】
本発明の第５の特徴は、移動局から、上りリンク共有信号を受信するように構成されている基地局装置であって、前記移動局に対して、上りリンク共有信号を送信するための第１時間間隔を指示する第１下りリンク制御信号を送信するように構成されている第１送信部と、前記第１時間間隔において、前記移動局によって前記第１下りリンク制御信号に基づいて送信された前記上りリンク共有信号を受信するように構成されている第１受信部と、前記第１受信部における受信結果に基づき、固定的に割り当てられている第３時間間隔で、第２下りリンク制御信号を送信するように構成されている第２送信部と、前記第２時間間隔において、前記移動局によって前記第２下りリンク制御信号に基づいて再送された前記上りリンク共有信号を受信するように構成されている第２受信部とを具備し、前記第３時間間隔が、前記移動局における測定のための時間間隔と重なっている場合に、前記第１受信部は、前記第１時間間隔において、前記上りリンク共有信号を受信し、前記第２送信部は、前記第３時間間隔において、前記第２下りリンク制御信号を送信せず、かつ、前記第２受信部は、前記第２時間間隔において、前記上りリンク共有信号を受信しないように構成されていることを要旨とする。
【００６９】
本発明の第５の特徴において、前記第１受信部が、前記第１時間間隔において、前記上りリンク共有信号の受信に失敗した場合、前記第２送信部は、前記移動局における測定のための時間間隔と重ならない時間間隔において、第３下りリンク制御信号を送信し、かつ、前記第２受信部は、該第３下りリンク制御信号によって指示された時間間隔において、該移動局によって該第３下りリンク制御信号に基づいて再送された該上りリンク共有信号を受信するように構成されていてもよい。
【００７０】
本発明の第６の特徴は、移動局から、上りリンク共有信号を受信するように構成されている基地局装置であって、前記移動局に対して、上りリンク共有信号を送信するための第１時間間隔を指示する第１下りリンク制御信号を送信するように構成されている第１送信部と、前記第１時間間隔において、前記移動局によって前記第１下りリンク制御信号に基づいて送信された前記上りリンク共有信号を受信するように構成されている第１受信部と、前記第１受信部における受信結果に基づき、固定的に割り当てられている第３時間間隔で、第２下りリンク制御信号を送信するように構成されている第２送信部と、前記第２時間間隔において、前記移動局によって前記第２下りリンク制御信号に基づいて再送された前記上りリンク共有信号を受信するように構成されている第２受信部とを具備し、前記第１時間間隔が、前記移動局における測定のための時間間隔と重なっている場合に、前記第１受信部は、前記第１時間間隔において、前記上りリンク共有信号を受信せず、前記第２送信部は、前記第３時間間隔において、前記第２下りリンク制御信号を送信せず、かつ、前記第２受信部は、前記第２時間間隔において、前記上りリンク共有信号を受信しないように構成されていることを要旨とする。
【００７１】
本発明の第７の特徴は、基地局装置によって指示された第１時間間隔で上りリンク共有信号を送信し、固定的に割り当てられている第２時間間隔で該上りリンク共有信号を再送するように構成されている移動局であって、前記第１時間間隔を指示する第１下りリンク制御信号を受信するように構成されている第１受信部と、前記第１下りリンク制御信号に基づいて、前記第１時間間隔で、前記上りリンク共有信号を送信するように構成されている送信部と、固定的に割り当てられている第３時間間隔で、第２下りリンク制御信号を受信するように構成されている第２受信部と、前記第２下りリンク制御信号に基づいて、前記第２時間間隔で、前記上りリンク共有信号を再送するように構成されている再送部とを具備し、前記第３時間間隔が、前記移動局における測定のための時間間隔と重なっている場合に、前記第２受信部は、前記第２下りリンク制御信号の情報として肯定応答を受信したと看做すように構成されていることを要旨とする。
【００７２】
本発明の第８の特徴は、移動局から、上りリンク共有信号を受信するように構成されている基地局装置であって、前記移動局に対して、上りリンク共有信号を送信するための第１時間間隔を指示する第１下りリンク制御信号を送信するように構成されている第１送信部と、前記第１時間間隔において、前記移動局によって前記第１下りリンク制御信号に基づいて送信された前記上りリンク共有信号を受信するように構成されている第１受信部と、前記第１受信部における受信結果に基づき、固定的に割り当てられている第３時間間隔で、第２下りリンク制御信号を送信するように構成されている第２送信部と、前記第２時間間隔において、前記移動局によって前記第２下りリンク制御信号に基づいて再送された前記上りリンク共有信号を受信するように構成されている第２受信部とを具備し、前記第３時間間隔が、前記移動局における測定のための時間間隔と重なっている場合に、前記第２送信部は、前記第２下りリンク制御信号の情報として肯定応答を送信したと看做すように構成されていることを要旨とする。
【発明の効果】
【００７３】
以上説明したように、本発明によれば、ギャップ期間が存在する場合の上りリンクにおけるＨＡＲＱ制御方法に関して、効率良く、かつ、ＲｏｂｕｓｔなＨＡＲＱ制御を実現することを可能とする移動局及び基地局装置を提供することができる。
【発明を実施するための最良の形態】
【００７４】
（本発明の第１の実施形態に係る移動通信システムの構成）
図１を参照して、本発明の第１の実施形態に係る移動通信システムの構成について説明する。本実施形態に係る移動通信システム１０００は、例えば、ＬＴＥ方式が適用されている移動通信システムであり、複数の移動局１００１乃至１００ｎと、複数の移動局１００１乃至１００ｎとの間で共有チャネルを用いて通信を行う基地局装置２００と、基地局装置２００及びコアネットワーク４００に接続されているアクセスゲートウェイ装置（上位局）３００とを具備する。
【００７５】
なお、上述のＬＴＥ方式は、「Ｅｖｏｌｖｅｄ  ＵＴＲＡ  ａｎｄ  ＵＴＲＡＮ、あるいは、Ｓｕｐｅｒ  ３Ｇ」方式と呼ばれてもよい。  ここで、複数の移動局１００１乃至１００ｎは、セル５０において、基地局装置２００との間で、ＬＴＥ方式により通信を行うように構成されている。以下、移動局１００１、１００２、１００３、…１００ｎについては、同一の構成、機能、状態を有するので、特段の断りがない限り、移動局１００として説明を進める。
【００７６】
移動通信システム１０００は、無線アクセス方式として、下りリンクについてはＯＦＤＭＡ（周波数分割多元接続）を用い、上りリンクについてはＳＣ-ＦＤＭＡ（シングルキャリア-周波数分割多元接続）を用いるように構成されている。
【００７７】
ここで、ＬＴＥ方式における通信チャネルについて説明する。
【００７８】
下りリンクでは、各移動局１００で共有して使用される「物理下りリンク共有チャネル（ＰＤＳＣＨ：  Ｐｈｙｓｉｃａｌ  Ｄｏｗｎｌｉｎｋ  Ｓｈａｒｅｄ  Ｃｈａｎｎｅｌ）」と、「物理下りリンク制御チャネル（ＰＤＣＣＨ：  Ｐｈｙｓｉｃａｌ  Ｄｏｎｗｌｉｎｋ  Ｃｏｎｔｒｏｌ  Ｃｈａｎｎｅｌ）」とが用いられる。
【００７９】
下りリンクでは、上述のＰＤＣＣＨ内にマッピングされる下りリンクスケジューリング情報により、物理下りリンク共有チャネルにマッピングされるユーザの情報やトランスポートフォーマットの情報が通知され、かかるＰＤＣＣＨ内にマッピングされる上りリンクスケジューリンググランドにより、物理上りリンク共有チャネルにマッピングされるユーザの情報やトランスポートフォーマットの情報が通知される。
【００８０】
また、物理下りリンク共有チャネルにより、ユーザデータが伝送される。なお、物理下りリンク共有チャネルにより、トランスポートチャネルとしては、ＤＬ-ＳＣＨが伝送される。
【００８１】
さらに、下りリンクでは、上りリンク共有信号に関するＨＡＲＱインディケータが、ＨＡＲＱインディケータチャネルを介して送信される。かかるＨＡＲＱインディケータチャネルは、物理チャネルとしては、「Ｐｈｙｓｉｃａｌ  Ｈｙｂｒｉｄ  ＡＲＱ  Ｉｎｄｉｃａｔｏｒ  Ｃｈａｎｎｅｌ（ＰＨＩＣＨ）」である。
【００８２】
ＨＡＲＱインディケータにより通知される情報は、肯定応答である「ＡＣＫ：Ａｃｋｎｏｗｌｅｇｅｍｅｎｔ」や、否定応答である「ＮＡＣＫ：Ｎｅｇａｔｉｖｅ  Ａｃｋｎｏｗｌｅｇｅｍｅｎｔ」であってもよい。
【００８３】
上りリンクでは、各移動局１００で共有して使用される「物理上りリンク共有チャネル（ＰＵＳＣＨ：  Ｐｈｙｓｉｃａｌ  Ｕｐｌｉｎｋ  Ｓｈａｒｅｄ  Ｃｈａｎｎｅｌ）」と、ＬＴＥ方式用の上りリンク制御チャネルとが用いられる。
【００８４】
なお、上りリンク制御チャネルには、物理上りリンク共有チャネルと時間多重されるチャネル、及び、物理上りリンク共有チャネルと周波数多重されるチャネルの２種類がある。
【００８５】
上りリンクでは、ＬＴＥ方式用の上り制御チャネルにより、下りリンクにおける物理上りリンク共有チャネルのスケジューリングや、適応変調・符号化（ＡＭＣＳ：  Ａｄａｐｔｉｖｅ  Ｍｏｄｕｌａｔｉｏｎ  ａｎｄ  Ｃｏｄｉｎｇ  Ｓｃｈｅｍｅ）に用いるための下りリンクの品質情報（ＣＱＩ：  Ｃｈａｎｎｅｌ  Ｑｕａｌｉｔｙ  Ｉｎｄｉｃａｔｏｒ）や、物理下りリンク共有チャネルの送達確認情報（ＨＡＲＱ  ＡＣＫ  ｉｎｆｏｒｍａｔｉｏｎ）が伝送される。
【００８６】
また、物理上りリンク共有チャネルにより、ユーザデータが伝送される。なお、物理上りリンク共有チャネルにより、トランスポートチャネルとしては、ＵＬ-ＳＣＨが伝送される。
【００８７】
図２に示すように、本実施形態に係る移動局１００は、送受信アンテナ１０１と、アンプ部/受信部１０２と、Ｌ１受信部１０３と、ＭＡＣ処理部（ＤＬ）１０４と、ＲＬＣ/ＰＤＣＰ処理部（ＤＬ）１０５と、アプリケーション１０６と、呼処理部/Ｍｅａｓｕｒｅｍｅｎｔ部１０７と、アンプ部/送信部１０８と、Ｌ１送信部１０９と、ＭＡＣ処理部（ＵＬ）/ＵＬ-ＨＡＲＱ制御部１１０と、ＲＬＣ/ＰＤＣＰ処理部（ＵＬ）１１１とを具備している。
【００８８】
具体的には、ＭＡＣ処理部（ＤＬ）１０４は、基地局装置から、第１時間間隔を指示する第１下りリンク制御信号（初送を指示する上りリンクスケジューリンググランド）を受信するように構成されている。
【００８９】
また、ＭＡＣ処理部（ＤＬ）１０４は、基地局装置から、固定的に割り当てられている第３時間間隔で、第２下りリンク制御信号（再送を指示する上りリンクスケジューリンググランド又はＨＡＲＱインディケータ）を受信するように構成されている。
【００９０】
さらに、ＭＡＣ処理部（ＤＬ）１０４は、基地局装置から、第３下りリンク制御信号（再送を指示する上りリンクスケジューリンググランド）を受信するように構成されている。
【００９１】
ここで、ＭＡＣ処理部（ＵＬ）/ＵＬ-ＨＡＲＱ制御部１１０は、基地局装置２００によって指示された第１時間間隔で上りリンク共有信号を送信し、固定的に割り当てられている第２時間間隔で当該上りリンク共有信号を再送するように構成されている。
【００９２】
具体的には、ＭＡＣ処理部（ＵＬ）/ＵＬ-ＨＡＲＱ制御部１１０は、ＭＡＣ処理部（ＤＬ）１０４によって受信された第１下りリンク制御信号に基づいて、第１時間間隔で、上りリンク共有信号を送信するように構成されている。
【００９３】
また、ＭＡＣ処理部（ＵＬ）/ＵＬ-ＨＡＲＱ制御部１１０は、ＭＡＣ処理部（ＤＬ）１０４によって受信された第２下りリンク制御信号に基づいて、第２時間間隔で、上りリンク共有信号を再送するように構成されている。
【００９４】
さらに、ＭＡＣ処理部（ＵＬ）/ＵＬ-ＨＡＲＱ制御部１１０は、ＭＡＣ処理部（ＤＬ）１０４によって受信された第３下りリンク制御信号によって指示されている時間間隔で、上りリンク共有信号を再送するように構成されている。
【００９５】
図３に示すように、本実施形態に係る基地局装置２００は、送受信アンテナ２０１Ａと、アンプ部/受信部２０１と、Ｌ１受信部２０２と、ＭＡＣ処理部（ＵＬ）/ＵＬ-ＨＡＲＱ制御部２０３と、ＲＬＣ/ＰＤＣＰ処理部（ＵＬ）２０４と、伝送路インタフェース２０５と、呼処理部/Ｍｅａｓｕｒｅｍｅｎｔ制御部２０６と、ＲＬＣ/ＰＤＣＰ処理部（ＤＬ）２０７と、ＭＡＣ処理部（ＤＬ）２０８と、Ｌ１送信部２０９と、アンプ部/送信部２１０とを具備している。
【００９６】
ここで、ＭＡＣ処理部（ＵＬ）/ＵＬ-ＨＡＲＱ制御部２０３は、移動局１００から、上りリンク共有信号を受信するように構成されている。
【００９７】
具体的には、ＭＡＣ処理部（ＵＬ）/ＵＬ-ＨＡＲＱ制御部２０３は、第１時間間隔において、移動局１００によって第１下りリンク制御信号に基づいて送信された上りリンク共有信号を受信するように構成されている。
【００９８】
また、ＭＡＣ処理部（ＵＬ）/ＵＬ-ＨＡＲＱ制御部２０３は、第２時間間隔において、移動局１００によって第２下りリンク制御信号に基づいて再送された上りリンク共有信号を受信するように構成されている。
【００９９】
ＭＡＣ処理部（ＤＬ）２０８は、移動局１００に対して、上りリンク共有信号を送信するための第１時間間隔を指示する第１下りリンク制御信号を送信するように構成されている。
【０１００】
また、ＭＡＣ処理部（ＤＬ）２０８は、ＭＡＣ処理部（ＵＬ）/ＵＬ-ＨＡＲＱ制御部２０３における受信結果に基づき、固定的に割り当てられている第３時間間隔で、第２下りリンク制御信号を送信するように構成されている。
【０１０１】
（本発明の第１の実施形態に係る移動通信システムの動作）
以下、図４乃至図１５を参照して、本発明の第１の実施形態に係る移動通信システムにおいて行われる具体的な上りリンクにおけるＨＡＲＱ制御の動作について説明する。
【０１０２】
＜パターン１＞
パターン１のＨＡＲＱ制御について、図４を参照して説明する。パターン１のＨＡＲＱ制御は、第１時間間隔が、ギャップ期間（移動局１００における測定のための時間間隔）と重なっていないが、第３時間間隔が、ギャップ期間と重なっている場合のＨＡＲＱ制御である。
【０１０３】
ここで、ギャップ期間（メジャメントギャップ期間）は、同じ周波数の隣接セル、異なる周波数の隣接セル、或いは、異なるシステムの隣接セルにおける受信品質を測定するための時間間隔である。
【０１０４】
かかる場合、移動局１００は、第１時間間隔（図４における９０８Ａ、サブフレーム＃ｉ＋４）で、上りリンク共有信号を送信し、第２時間間隔（図４における９０８Ａ、サブフレーム＃ｉ＋１２）で、上りリンク共有信号を再送しないように構成されている。
【０１０５】
また、移動局１００は、第３下りリンク制御信号を受信した場合（図４における９１０Ａ、サブフレーム＃ｉ＋１６）、当該第３下りリンク制御信号によって指示されている時間間隔（図４における９１２Ａ、サブフレーム＃ｉ＋２０）で、上りリンク共有信号を再送するように構成されている。
【０１０６】
一方、基地局装置２００は、第１時間間隔（図４における９０８Ａ、サブフレーム＃ｉ＋４）において、上りリンク共有信号を受信し、第３時間間隔（図４における９０６Ａ、サブフレーム＃ｉ＋８）において、第２下りリンク制御信号を送信せず、かつ、第２時間間隔（図４における９０８Ａ、サブフレーム＃ｉ＋１２）において、上りリンク共有信号を受信しないように構成されている。
【０１０７】
以下、図４を参照して、ギャップ期間が、上りリンク共有信号を送信するサブフレームを含んではいないが、上りリンク共有信号に関するＨＡＲＱインディケータ又は再送を指示する上りリンクスケジューリンググランドを送信するサブフレームを含んでいる場合で、かつ、上りリンク共有信号の復号結果（９０４Ａにおける復号結果）がＮＧであった場合の基地局装置２００及び移動局１００の具体的な動作について説明する。
【０１０８】
９０２Ａ（サブフレーム＃ｉ）（ｉは、ｉ＞０の整数）において、基地局装置２００は、物理下りリンク制御チャネルにおける上りリンクスケジューリンググランドを用いて、移動局１００に対して、サブフレーム＃ｉ＋４において、上りリンクの共有チャネルを用いた通信を行うことを指示する。
【０１０９】
９０４Ａ（サブフレーム＃ｉ＋４）において、移動局１００は、基地局装置２００に対して、上りリンクの共有チャネルを介して上りリンク共有信号を送信し、基地局装置２００は、かかる上りリンク共有信号を受信し、かかる上りリンク共有信号の復号を行う。図４の例では、かかる復号の結果はＮＧであるものとする。
【０１１０】
９０６Ａ（サブフレーム＃ｉ＋８）において、基地局装置２００は、移動局１００に対して、ＨＡＲＱインディケータも、上りリンクスケジューリンググランドも送信しない。
【０１１１】
これは、サブフレーム＃ｉ＋８が、移動局１００のギャップ期間に含まれており、ＨＡＲＱインディケータや上りリンクスケジューリンググランドを送信したとしても、移動局１００は、かかるＨＡＲＱインディケータや上りリンクスケジューリンググランドを受信できないからである。
【０１１２】
９０８Ａ（サブフレーム＃ｉ＋１２）において、移動局１００は、９０４Ａにおいて送信した上りリンク共有信号の再送を行わない。
【０１１３】
この場合、移動局１００は、９０６Ａにおいて、ＨＡＲＱインディケータチャネルにより、ＡＣＫが通知されたと看做してもよい。すなわち、移動局は、９０６Ａにおいて、ＨＡＲＱインディケータチャネルにより、ＡＣＫを通知された場合と同様の動作を行う。
【０１１４】
また、基地局装置２００も、９０８Ａにおいて、上りリンク共有信号が再送されないと想定し、当該上りリンク共有信号の復号処理を行わない。
【０１１５】
ギャップ期間と重ならないサブフレーム（時間間隔）において、例えば、９１０Ａ（サブフレーム＃ｉ＋１６）において、基地局装置２００は、物理下りリンク制御チャネルにおける上りリンクスケジューリンググランドを用いて、移動局１００に対して、サブフレーム＃ｉ＋２０において、９０４Ａにおいて送信された上りリンク共有信号の再送を行うことを指示する。
【０１１６】
９１２Ａ（サブフレーム＃ｉ＋２０）において、移動局１００は、基地局装置２００に対して、９０４Ａにおいて送信された上りリンク共有信号を再送し、基地局装置２００は、再送された当該上りリンク共有信号を受信して復号を行う。
【０１１７】
尚、上述した例においては、９１０Ａにおいて、基地局装置２００は、移動局１００に対して、上りリンクのスケジューリンググランドを送信したが、９１０Ａにおいて、基地局装置２００は、移動局１００に対して、上りリンクのスケジューリンググランドを送信しなくてもよい。
【０１１８】
例えば、基地局装置２００は、上りリンクのスケジューリンググランドを送信する無線リソースが存在しない場合、又は、上りリンク共有信号の再送のための無線リソースが存在しない場合、移動局１００に対して、上りリンクのスケジューリンググランドを送信しなくてもよい。
【０１１９】
この場合、移動局１００は、９１２Ａにおいて、９０４Ａにおいて送信された上りリンク共有信号の再送を行わない。これは、９０６Ａにおいて、ＨＡＲＱインディケータチャネルによりＡＣＫが送信された場合と同一の動作となる（９１０Ｂ及び９１２Ｂと同一の動作となる）。
【０１２０】
この場合も、さらに、その次の再送タイミング、例えば、サブフレーム＃ｉ＋２４において、９０４Ａにおいて送信された上りリンク共有信号の再送を指示する上りリンクのスケジューリンググランドが送信された場合には、移動局１００は、サブフレーム＃ｉ＋２８において、９０４Ａにおいて送信された上りリンク共有信号の再送を行ってもよい。
【０１２１】
なお、上述した処理は、図５に示すように、第３時間間隔及び第２時間間隔の両方が、ギャップ期間と重なっている場合に適用されてもよい。本処理においては、第２時間間隔（図５における９０８Ａ、サブフレーム＃ｉ＋１２）において、上りリンク共有信号が送受信されないため、大きな問題は発生せず、かつ、図４の場合と同様の効果が得られる。
【０１２２】
＜パターン２＞
パターン２のＨＡＲＱ制御について、図６を参照して説明する。パターン２のＨＡＲＱ制御は、第１時間間隔が、ギャップ期間（移動局１００における測定のための時間間隔）と重なっていないが、第３時間間隔が、ギャップ期間と重なっている場合のＨＡＲＱ制御である。
【０１２３】
以下、図６を参照して、ギャップ期間が、上りリンク共有信号を送信するサブフレームを含んではいないが、上りリンク共有信号に関するＨＡＲＱインディケータ又は再送を指示する上りリンクスケジューリンググランドを送信するサブフレームを含んでいる場合で、かつ、上りリンク共有信号の復号結果（９０４Ｂにおける復号結果）がＯＫであった場合の基地局装置２００及び移動局１００の動作について説明する。
【０１２４】
９０２Ｂ（サブフレーム＃ｉ）（ｉは、ｉ＞０の整数）において、基地局装置２００は、物理下りリンク制御チャネルにおける上りリンクスケジューリンググランドを用いて、移動局１００に対して、サブフレーム＃ｉ＋４において、上りリンクの共有チャネルを用いた通信を行うことを指示する。
【０１２５】
９０４Ｂ（サブフレーム番号＃ｉ＋４）において、移動局１００は、基地局装置２００に対して、上りリンク共有信号を送信し、基地局装置２００は、かかる上りリンク共有信号を受信し、当該上りリンク共有信号の復号を行う。図６においては、かかる復号の結果はＯＫであるものとする。
【０１２６】
９０６Ｂ（サブフレーム＃ｉ＋８）において、基地局装置２００は、移動局１００に対して、ＨＡＲＱインディケータルも、上りリンクスケジューリンググランドも送信しない。
【０１２７】
これは、サブフレーム＃ｉ＋８が、移動局１００のギャップ期間に含まれており、ＨＡＲＱインディケータや上りリンクスケジューリンググランドを送信したとしても、移動局１００は、かかるＨＡＲＱインディケータや上りリンクスケジューリンググランドを受信できないからである。
【０１２８】
９０８Ｂ（サブフレーム＃ｉ＋１２）において、移動局１００は、９０４Ｂにおいて送信した上りリンク共有信号の再送を行わない。
【０１２９】
この場合、移動局１００は、９０６Ｂにおいて、ＨＡＲＱインディケータにより、ＡＣＫを通知されたと看做してもよい。すなわち、移動局１００は、９０６Ａにおいて、ＨＡＲＱインディケータチャネルにより、ＡＣＫを通知された場合と同様の動作を行う。
【０１３０】
また、基地局装置２００も、９０８Ｂにおいて、上りリンク共有信号が再送されないと想定し、かかる上りリンク共有信号の復号処理を行わない。
【０１３１】
９１０Ｂ（サブフレーム＃ｉ＋１６）において、基地局装置２００は、移動局１００に対して、９０４Ｂにおいて送信された上りリンク共有信号の再送を行うことを指示する上りリンクスケジューリンググランドは送信しない。
【０１３２】
これは、９０４Ｂにおいて送信された上りリンク共有信号は、既に正しく復号されているためである。したがって、９１２Ｂ（サブフレーム＃ｉ＋２０）において、移動局１００は、基地局装置２００に対して、何も送信しない。
【０１３３】
なお、９１０Ｂにおいて、基地局装置２００は、移動局１００に対して、新規の上りリンク共有信号の送信を指示する上りリンクスケジューリンググランドを送信してもよい。この場合、９１２Ｂにおいて、移動局１００は、基地局装置２００に対して、かかる上りリンクスケジューリンググランドに基づき、新規の上りリンク共有信号を送信する。
【０１３４】
なお、上述した処理は、図７に示すように、第３時間間隔及び第２時間間隔の両方が、ギャップ期間と重なっている場合に適用されてもよい。本処理においては、第２時間間隔（図７における９０８Ｂ、サブフレーム＃ｉ＋１２）において、上りリンク共有信号が送受信されないため、大きな問題は発生せず、かつ、図６の場合と同様の効果が得られる。
【０１３５】
図４及び図６における基地局装置２００及び移動局１００の処理をまとめると、移動局１００は、上りリンク共有信号に対するＨＡＲＱインディケータ、又は、かかる上りリンク共有信号に対する上りリンクスケジューリンググランドが送信されるタイムフレーム（サブフレーム）が、ギャップ期間に含まれる場合には、かかる上りリンク共有信号が正しく復号されたと看做し、かかる上りリンク共有信号の再送を行わない。
【０１３６】
すなわち、移動局１００は、ギャップ期間に含まれていたＨＡＲＱインディケータチャネルがＡＣＫを通知したと看做す。この場合、かかる上りリンク共有信号は、上りリンクのスケジューリンググランドにより再送が指示されるまで、再送されない。
【０１３７】
また、基地局装置２００は、上述の上りリンク共有信号が正しく復号されなかった場合（９０４Ａ）には、その後のタイミング（サブフレーム）で、上りリンクのスケジューリンググランドにより、かかる上りリンク共有信号の再送を指示する（９１０Ａ）。
【０１３８】
本発明の第１の実施形態に係る移動通信システム（パターン１/２）の効果は、以下の通りである。
【０１３９】
ＬＴＥ方式の上りリンクにおいては、一般に、上りリンク共有信号の誤り率が１０％〜３０％になるように、ＡＭＣ（適応変調・符号化）が行われるため、９０４Ａ又は９０４Ｂにおいて、上りリンク共有信号が正しく復号される確率の方が、上りリンク共有信号が正しく復号されない確率よりも高い。
【０１４０】
よって、９０６Ａにおいて送信されるべきＨＡＲＱインディケータがＡＣＫであると看做して、９０８Ａ又は９０８Ｂにおいて、９０４Ａ又は９０４Ｂにおいて送信された上りリンク共有信号の再送を行わないことにより、９０８Ａ又は９０８Ｂの無線リソースを、その他の移動局、或いは、移動局１００の新規のデータ送信に割り当てることが可能となり、結果として、効率の良い通信を実現することが可能となる。
【０１４１】
なお、たとえ、９０４Ａにおいて、上りリンク共有信号が正しく復号されない場合にも、９１０Ａ及び９１２Ａで示したように、その後のタイミング（サブフレーム）で、上りリンクのスケジューリンググランドにより、９０４Ａにおいて送信された上りリンク共有信号の再送を指示することが可能となるため、再送の機会が失われるわけではないため、９０４Ａにおいて、９０６Ａにおいて送信されるべきＨＡＲＱインディケータがＡＣＫであると看做しても問題は生じない。
【０１４２】
すなわち、本実施例における「ＨＡＲＱインディケータがＡＣＫである、或いは、ＡＣＫであると看做す」とは、「上りリンク共有信号が正しく受信されたこと」を意味するのではなく、「直後の再送タイミングで上りリンク共有信号の再送を留保するかもしれないこと」を意味すると解釈されてもよい。
【０１４３】
そして、再送を指示する上りリンクスケジューリンググランドを受けたことを条件に、再送が行われる。
【０１４４】
したがって、移動局１００が、この定義によるＡＣＫを受けた、或いは、かかるＡＣＫを受けたと看做したとしても、送信済みの上りリンク共有信号内のデータを破棄してはならず、再送バッファに保持しておく必要がある。
【０１４５】
移動局１００は、基地局装置２００よりＡＣＫを受けた或いはＡＣＫを受けたと看做したＨＡＲＱプロセスを用いて新規送信を行うことを指示された場合、又は、ＨＡＲＱの再送回数が最大再送回数を超過する場合に、上述の送信済みの上りリンク共有信号内のデータを破棄することになる。
【０１４６】
また、図４及び図６において、初回送信の上りリンク共有信号に対するＨＡＲＱインディケータ又は再送を指示する上りリンクスケジューリンググランドが、ギャップ期間に含まれている場合を示したが、２回目送信以降の上りリンク共有信号に対するＨＡＲＱインディケータ又は再送を指示する上りリンクスケジューリンググランドが、ギャップ期間に含まれている場合にも、同様の処理が適用される。
【０１４７】
この場合、９０２Ａ及び９０２Ｂにおける上りリンクのスケジューリンググランドは、再送を指示するＨＡＲＱインディケータであってもよいし、再送を指示する上りリンクのスケジューリンググランドであってもよい。
【０１４８】
＜パターン３＞
パターン３のＨＡＲＱ制御について、図８を参照して説明する。パターン３のＨＡＲＱ制御は、第１時間間隔が、ギャップ期間（移動局１００における測定のための時間間隔）と重なっていないが、第３時間間隔が、ギャップ期間と重なっている場合のＨＡＲＱ制御である。
【０１４９】
かかる場合、移動局１００は、第１時間間隔（図８における１００４、サブフレーム＃ｉ＋４）で、上りリンク共有信号を送信せず、かつ、第２時間間隔（図８における１００８、サブフレーム＃ｉ＋１２）で、上りリンク共有信号を再送しないように構成されている。
【０１５０】
以下、図８を参照して、ギャップ期間が、上りリンク共有信号を送信するサブフレームを含んではいないが、上りリンク共有信号に関するＨＡＲＱインディケータ又は再送を指示する上りリンクスケジューリンググランドを送信するサブフレームを含んでいる場合の基地局装置２００及び移動局１００の動作について説明する。
【０１５１】
図８に示すように、１００２（サブフレーム＃ｉ）（ｉは、ｉ＞０の整数）において、基地局装置２００は、物理下りリンク制御チャネルにおける上りリンクスケジューリンググランドを用いて、移動局１００に対して、サブフレーム＃ｉ＋４において、上りリンクの共有チャネルを用いた通信を行うことを指示する。
【０１５２】
しかしながら、１００４（サブフレーム番号＃ｉ＋４）において、移動局１００は、基地局装置２００に対して、上りリンク共有信号を送信せず、また、基地局装置２００は、かかる上りリンク共有信号の受信を行わない。
【０１５３】
これは、かかる上りリンク共有信号に関するＨＡＲＱインディケータ又は再送を指示する上りリンクスケジューリンググランドを送信するサブフレームであるサブフレーム＃ｉ＋８が、移動局１００のギャップ期間に含まれているためである。
【０１５４】
すなわち、たとえ、移動局１００が、上りリンク共有信号を送信したとしても、当該上りリンク共有信号に対するＨＡＲＱインディケータ又は再送を指示する上りリンクスケジューリンググランドが、ギャップ期間により、受信することができないため、かかる上りリンク共有信号そのものの送信がキャンセルされる。
【０１５５】
１００６（サブフレーム＃ｉ＋８）において、基地局装置２００は、移動局１００に対して、ＨＡＲＱインディケータも、上りリンクスケジューリンググランドも送信しない。
【０１５６】
これは、サブフレーム＃ｉ＋８が、移動局１００のギャップ期間に含まれており、ＨＡＲＱインディケータや上りリンクスケジューリンググランドを送信したとしても、移動局１００は、かかるＨＡＲＱインディケータや上りリンクスケジューリンググランドを受信できないからである。
【０１５７】
１００８（サブフレーム＃ｉ＋１２）において、移動局１００は、１００４において送信されるはずだった上りリンク共有信号の再送を行わない。
【０１５８】
この場合、移動局１００は、１００６において、ＨＡＲＱインディケータチャネルにより、ＡＣＫが通知されたと看做してもよい。すなわち、移動局は、１００６において、ＨＡＲＱインディケータチャネルにより、ＡＣＫを通知された場合と同様の動作を行う。
【０１５９】
また、基地局装置２００も、１００８において、かかる上りリンク共有信号が再送されないと想定し、かかる上りリンク共有信号の復号処理を行わない。
【０１６０】
１０１０（サブフレーム＃ｉ＋１６）において、基地局装置２００は、物理下りリンク制御チャネルにおける上りリンクスケジューリンググランドを用いて、移動局１００に対して、サブフレーム＃ｉ＋２０において、１００４において送信されるはずであった上りリンク共有信号の再送を行うことを指示する。
【０１６１】
１０１２（サブフレーム＃ｉ＋２０）において、移動局１００は、基地局装置２００に対して、１００４において送信されるはずであった上りリンク共有信号を再送し、基地局装置２００は、再送された上りリンク共有信号を受信して復号する。なお、１０１２以降のＨＡＲＱ制御は、通常のＨＡＲＱ制御と同一となる。
【０１６２】
また、上述した例においては、１０１０において、基地局装置２００は、移動局１００に対して、上りリンクのスケジューリンググランドを送信したが、１０１０において、基地局装置２００は、移動局１００に対して、上りリンクのスケジューリンググランドを送信しなくてもよい。
【０１６３】
例えば、基地局装置２００は、上りリンクのスケジューリンググランドを送信する無線リソースが存在しない場合、又は、上述の上りリンク共有信号の再送のための無線リソースが存在しない場合、移動局１００に対して、上りリンクのスケジューリンググランドを送信しなくてもよい。
【０１６４】
この場合、移動局１００は、１０１２において、１００４において送信されるはずであった上りリンク共有信号の再送を行わない。これは、１００６において、ＨＡＲＱインディケータチャネルによりＡＣＫが送信された場合と同一の動作となる。
【０１６５】
この場合も、さらに、その次の再送タイミング、例えば、サブフレーム＃ｉ＋２４において、１００４において送信されるはずであった上りリンク共有信号の再送を指示する上りリンクのスケジューリンググランドが送信された場合には、移動局は、サブフレーム＃ｉ＋２８において、１００４において送信されるはずであった上りリンク共有信号の再送を行ってもよい。
【０１６６】
なお、上述した処理は、図９に示すように、第３時間間隔及び第２時間間隔の両方が、ギャップ期間と重なっている場合に適用されてもよい。本処理においては、第２時間間隔（図９における１００８、サブフレーム＃ｉ＋１２）において、上りリンク共有信号が送受信されないため、大きな問題は発生せず、かつ、図８の場合と同様の効果が得られる。
【０１６７】
図８における基地局装置２００及び移動局１００の処理をまとめると、移動局１００は、上りリンク共有信号に対するＨＡＲＱインディケータ又は上りリンク共有信号に対する上りリンクスケジューリンググランドが送信されるタイムフレーム（サブフレーム）が、ギャップ期間に含まれる場合には、かかる上りリンク共有信号の送信そのものを停止する。
【０１６８】
また、移動局１００は、ギャップ期間に含まれていたＨＡＲＱインディケータチャネルがＡＣＫを通知したと看做して、その後の処理を行う。すなわち、上りリンクスケジューリンググランドにより再送が指示されるまで、移動局１００は、かかる上りリンク共有信号の再送を行わない。
【０１６９】
また、基地局装置２００は、その後のタイミングで、上りリンクのスケジューリンググランドにより、かかる上りリンク共有信号の再送を指示する（１０１０）。
【０１７０】
なお、本実施例における「ＨＡＲＱインディケータがＡＣＫである、或いは、ＡＣＫであると看做す」とは、「上りリンク共有信号が正しく受信されたこと」を意味するのではなく、「直後の再送タイミングで上りリンク共有信号の再送を留保するかもしれないこと」を意味すると解釈されてもよい。
【０１７１】
そして、再送を指示する上りリンクスケジューリンググランドを受けたことを条件に、再送が行われる。
【０１７２】
したがって、移動局１００が、この定義によるＡＣＫを受けた、或いは、かかるＡＣＫを受けたと看做したとしても、送信済みの上りリンク共有信号内のデータを破棄してはならず、再送バッファに保持しておく必要がある。
【０１７３】
移動局１００は、基地局装置２００よりＡＣＫを受けた或いはＡＣＫを受けたと看做したＨＡＲＱプロセスを用いて新規送信を行うことを指示された、または、ＨＡＲＱの再送回数が最大再送回数を超過する場合に、上述の送信済みの上りリンク共有信号内のデータを破棄することになる。
【０１７４】
本発明の第１の実施形態に係る移動通信システム（パターン３）の効果は、以下の通りである。
【０１７５】
一般に、ＨＡＲＱの制御は、送達確認情報（この場合、ＨＡＲＱインディケータや上りリンクスケジューリンググランド）により、成り立っている。
【０１７６】
よって、移動局１００において、かかる送達確認情報が正しく受信されないことが事前に判明している場合には、元のデータ信号そのもの（この場合、上りリンク共有信号）の送信を停止するという方法が、最も安全な制御方法である。
【０１７７】
また、上りリンクスケジューリンググランドにより再送が指示されるまで、移動局１００は、かかる上りリンク共有信号の再送を行わないという動作とすることにより、例えば、図８における１００８において、柔軟なリソース割り当てを行うことが可能となる。すなわち、図８に示した処理を行うことにより、安全で、かつ、効率的な上りリンクのＨＡＲＱ制御を適用することが可能となる。
【０１７８】
上述の柔軟なリソース割り当てに関して、以下に補足する。上りリンクにおいては、再送するサブフレームにおいて、ＰＲＡＣＨ（Ｐｈｙｓｉｃａｌ  Ｒａｎｄｏｍ  Ａｃｃｅｓｓ  Ｃｈａｎｎｅｌ）信号が送信される場合には、上述のＰＲＡＣＨ信号と再送の上りリンク共有信号とが衝突するという問題が生じる。
【０１７９】
この場合、一般には、上述の再送の上りリンク共有信号の送信のために、上りリンクスケジューリンググランドを送信し、上述の再送の上りリンク共有信号の周波数リソースを、上述のＰＲＡＣＨ信号と衝突しないように変更するといった処理が行われる。
【０１８０】
しかしながら、図８に示した場合には、上りリンクスケジューリンググランドが送信されるサブフレーム（１００６）が、ギャップ期間に含まれているため、上述した処理を行うことができない。すなわち、１００８において、ＰＲＡＣＨ信号と上述の再送の上りリンク共有信号とが衝突するという問題が発生し得る。
【０１８１】
上述したように、上りリンクスケジューリンググランドにより再送が指示されるまで、移動局１００は、かかる上りリンク共有信号の再送を行わないという動作とすることにより、例えば、図８における１００８において、柔軟なリソース割り当てを行うことが可能となる。ここで、柔軟なリソース割り当てとは、例えば、上述したＰＲＡＣＨ信号と再送の上りリンク共有信号との衝突を避けることが含まれる。
【０１８２】
なお、図８において、初回送信の上りリンク共有信号に対するＨＡＲＱインディケータ又は再送を指示する上りリンクスケジューリンググランドが、ギャップ期間に含まれている場合を示したが、２回目送信以降の上りリンク共有信号に対するＨＡＲＱインディケータ又は再送を指示する上りリンクスケジューリンググランドが、ギャップ期間に含まれている場合にも、同様の処理が適用される。
【０１８３】
この場合、図８の１００２における上りリンクのスケジューリンググランドは、再送を指示するＨＡＲＱインディケータであってもよいし、再送を指示する上りリンクのスケジューリンググランドであってもよい。
【０１８４】
＜パターン４＞
パターン４のＨＡＲＱ制御について、図１０を参照して説明する。以下、パターン４のＨＡＲＱ制御について、上述したパターン１乃至３のＨＡＲＱ制御との相違点に着目して説明する。
【０１８５】
パターン４のＨＡＲＱ制御は、第１時間間隔が、ギャップ期間（移動局１００における測定のための時間間隔）と重なっていないが、第３時間間隔が、ギャップ期間と重なっている場合のＨＡＲＱ制御である。
【０１８６】
パターン４のＨＡＲＱ制御では、移動局１００は、第１時間間隔（図１０における１１０４、サブフレームｉ＋４）で、上りリンク共有信号を送信せず、かつ、第２下りリンク制御信号を受信したか否かに関係なく、第２時間間隔（図１０における１１０８、サブフレームｉ＋１２）で、上りリンク共有信号を再送するように構成されている。
【０１８７】
一方、基地局装置２００は、第１時間間隔（図１０における１１０４、サブフレーム＃ｉ＋４）において、上りリンク共有信号を受信せず、第３時間間隔（図１０における１１０６、サブフレーム＃ｉ＋８）において、第２下りリンク制御信号を送信せず、かつ、第２時間間隔（図１０における１１０８、サブフレーム＃ｉ＋１２）において、上りリンク共有信号を受信し、１１１０（サブフレーム＃ｉ＋１６）において、第２下りリンク制御信号を送信するように構成されている。
【０１８８】
本発明の第１の実施形態に係る移動通信システム（パターン４）の効果は、以下の通りである。
【０１８９】
パターン３においては、図８における１００８において柔軟なリソース割り当てを実現するために、１００６におけるＨＡＲＱインディケータはＡＣＫであると看做され、上りリンクスケジューリンググランドにより再送が指示されるまで、移動局１００は、かかる上りリンク共有信号の再送を行わないという動作となっていた。
【０１９０】
しかしながら、上述の動作では、柔軟なリソース割り当ては実現できるものの、上りリンク共有信号が実際に再送されるタイミングが１０１２となり、大幅に遅れることになる。すなわち、上りリンク共有信号の再送が遅延するという問題が生じる。
【０１９１】
一方、パターン４においては、１１０８において、上記上りリンク共有信号が再送されるため、上述の遅延を低減することが可能となる。
【０１９２】
なお、パターン４においては、パターン３と同様に、送達確認情報が正しく受信されないことが事前に判明している場合には、元のデータ信号そのもの（この場合、上りリンク共有信号）の送信を停止するという方法を採っているため、パターン３の場合と同様に、安全なＨＡＲＱ制御が適用されるという効果もある。
【０１９３】
＜パターン５＞
パターン５のＨＡＲＱ制御について、図１１を参照して説明する。以下、パターン５のＨＡＲＱ制御について、上述したパターン１乃至３のＨＡＲＱ制御との相違点に着目して説明する。
【０１９４】
パターン５のＨＡＲＱ制御では、移動局１００は、第１時間間隔（図１１における１２０４、サブフレームｉ＋４）で、上りリンク共有信号を送信し、かつ、第２下りリンク制御信号を受信したか否かに関係なく、第２時間間隔（図１１における１２０８、サブフレームｉ＋１２）で、上りリンク共有信号を再送するように構成されている。
【０１９５】
一方、基地局装置２００は、第１時間間隔（図１１における１２０４、サブフレーム＃ｉ＋４）において、上りリンク共有信号を受信し、第３時間間隔（図１１における１２０６、サブフレーム＃ｉ＋８）において、第２下りリンク制御信号を送信せず、かつ、第２時間間隔（図１１における１２０８、サブフレーム＃ｉ＋１２）において、上りリンク共有信号を受信し、１２１０（サブフレーム＃ｉ＋１６）において、第２下りリンク制御信号を送信するように構成されている。
【０１９６】
本発明の第１の実施形態に係る移動通信システム（パターン５）の効果は、以下の通りである。
【０１９７】
パターン４においては、上りリンク共有信号の再送が遅延するという問題を低減するために、柔軟なリソース割り当てを犠牲にして、１１０８において、上りリンク共有信号の再送が行われていた。
【０１９８】
しかしながら、安全なＨＡＲＱ制御を実現するために、１１０４では、上りリンク共有信号の送信が停止されていた。
【０１９９】
一方、パターン５においては、１２０４において、上りリンク共有信号の送信が行われているため、上述した遅延の問題をさらに解消することが可能となる。
【０２００】
＜パターン６＞
パターン６のＨＡＲＱ制御について、図１２を参照して説明する。以下、パターン６のＨＡＲＱ制御について、上述したパターン１乃至３のＨＡＲＱ制御との相違点に着目して説明する。
【０２０１】
パターン６のＨＡＲＱ制御は、第１時間間隔が、ギャップ期間（移動局１００における測定のための時間間隔）と重なっており、かつ、第３時間間隔も、ギャップ期間と重なっている場合のＨＡＲＱ制御である。
【０２０２】
以下、図１２を参照して、ギャップ期間が、上りリンク共有信号を送信するサブフレームを含んでおり、かつ、上りリンク共有信号に関するＨＡＲＱインディケータ又は再送を指示する上りリンクスケジューリンググランドを送信するサブフレームも含んでいる場合の基地局装置２００及び移動局１００の動作について説明する。
【０２０３】
１３０２（サブフレーム＃ｉ）（ｉは、ｉ＞０の整数）において、基地局装置２００は、物理下りリンク制御チャネルにおける上りリンクスケジューリンググランドを用いて、移動局１００に対して、サブフレーム＃ｉ＋４において、上りリンクの共有チャネルを用いた通信を行うことを指示する。
【０２０４】
１３０４（サブフレーム番号＃ｉ＋４）は、移動局１００のギャップ期間に含まれているため、１３０４（サブフレーム番号＃ｉ＋４）において、移動局１００は、基地局装置２００に対して、上りリンク共有信号を送信することができない。
【０２０５】
１３０６（サブフレーム＃ｉ＋８）において、基地局装置２００は、移動局１００に対して、ＨＡＲＱインディケータも、上りリンクスケジューリンググランドも送信しない。
【０２０６】
これは、サブフレーム＃ｉ＋８が、移動局１００のギャップ期間に含まれており、ＨＡＲＱインディケータや上りリンクスケジューリンググランドを送信したとしても、移動局１００は、かかるＨＡＲＱインディケータや上りリンクスケジューリンググランドを受信できないからである。
【０２０７】
１３０８（サブフレーム＃ｉ＋１２）において、移動局１００は、１３０４において送信するはずだった上りリンク共有信号の再送を行わない。
【０２０８】
この場合、移動局１００は、１３０６において、ＨＡＲＱインディケータにより、ＡＣＫを通知されたと看做してもよい。すなわち、移動局１００は、１３０６において、ＨＡＲＱインディケータチャネルにより、ＡＣＫを通知された場合と同様の動作を行う。
【０２０９】
また、基地局装置２００も、１３０８において、上りリンク共有信号が再送されないと想定し、かかる上りリンク共有信号の復号処理を行わない。
【０２１０】
１３１０（サブフレーム＃ｉ＋１６）において、基地局装置２００は、移動局１００に対して、１３０４において送信されるはずだった上りリンク共有信号の再送を行うことを指示する上りリンクスケジューリンググランドを送信する。
【０２１１】
１３１２において、移動局１００は、１３１０（サブフレーム＃ｉ＋１６）において受信した上りリンクスケジューリンググランドに基づいて、１３０４において送信されるはずだった上りリンク共有信号を再送する。
【０２１２】
本発明の第１の実施形態に係る移動通信システム（パターン６）の効果は、以下の通りである。
【０２１３】
上りリンクにおいては、再送するサブフレームにおいて、ＰＲＡＣＨ信号が送信される場合には、上述のＰＲＡＣＨ信号と再送の上りリンク共有信号とが衝突するという問題が生じる。
【０２１４】
この場合、一般には、上述の再送の上りリンク共有信号の送信のために、上りリンクスケジューリンググランドを送信し、上述の再送の上りリンク共有信号の周波数リソースを、上述のＰＲＡＣＨ信号と衝突しないように変更するといった処理が行われる。
【０２１５】
しかしながら、図１２に示した場合には、上りリンクスケジューリンググランドが送信されるサブフレーム（１３０６）が、ギャップ期間に含まれているため、上述した処理を行うことができない。すなわち、ＰＲＡＣＨ信号と上述の再送の上りリンク共有信号とが衝突するという問題が発生し得る。
【０２１６】
上述したように、上りリンクスケジューリンググランドにより再送が指示されるまで、移動局１００は、かかる上りリンク共有信号の再送を行わないという動作とすることにより、例えば、図１２における１３０８において、柔軟なリソース割り当てを行うことが可能となる。ここで、柔軟なリソース割り当てとは、例えば、上述したＰＲＡＣＨ信号と再送の上りリンク共有信号の衝突を避けることが含まれる。
【０２１７】
＜パターン７＞
パターン７のＨＡＲＱ制御について、図１３を参照して説明する。以下、パターン７のＨＡＲＱ制御について、上述したパターン６のＨＡＲＱ制御との相違点に着目して説明する。
【０２１８】
パターン７のＨＡＲＱ制御は、第１時間間隔が、ギャップ期間（移動局１００における測定のための時間間隔）と重なっており、かつ、第３時間間隔も、ギャップ期間と重なっている場合のＨＡＲＱ制御である。
【０２１９】
以下、図１３を参照して、ギャップ期間が、上りリンク共有信号を送信するサブフレームを含んでおり、かつ、上りリンク共有信号に関するＨＡＲＱインディケータ又は再送を指示する上りリンクスケジューリンググランドを送信するサブフレームも含んでいる場合の基地局装置２００及び移動局１００の動作について説明する。
【０２２０】
１３０２Ａ（サブフレーム＃ｉ）（ｉは、ｉ＞０の整数）において、基地局装置２００は、物理下りリンク制御チャネルにおける上りリンクスケジューリンググランドを用いて、移動局１００に対して、サブフレーム＃ｉ＋４において、上りリンクの共有チャネルを用いた通信を行うことを指示する。
【０２２１】
１３０４Ａ（サブフレーム番号＃ｉ＋４）は、移動局１００のギャップ期間に含まれているため、１３０４Ａ（サブフレーム番号＃ｉ＋４）において、移動局１００は、基地局装置２００に対して、上りリンク共有信号を送信することができない。
【０２２２】
１３０６Ａ（サブフレーム＃ｉ＋８）において、基地局装置２００は、移動局１００に対して、ＨＡＲＱインディケータも、上りリンクスケジューリンググランドも送信しない。
【０２２３】
これは、サブフレーム＃ｉ＋８が、移動局１００のギャップ期間に含まれており、ＨＡＲＱインディケータや上りリンクスケジューリンググランドを送信したとしても、移動局１００は、かかるＨＡＲＱインディケータや上りリンクスケジューリンググランドを受信できないからである。
【０２２４】
１３０８Ａ（サブフレーム＃ｉ＋１２）において、移動局１００は、１３０４Ａにおいて送信するはずだった上りリンク共有信号を再送し、基地局装置２００は、かかる上りリンク共有信号を受信して復号する。
【０２２５】
１３１０Ａ（サブフレーム＃ｉ＋１６）において、基地局装置２００は、移動局１００に対して、上述の復号結果を示すＨＡＲＱインディケータ或いは新規又は再送の上り共有信号の送信を指示する上りリンクスケジューリンググランドを送信する。
【０２２６】
上述のＨＡＲＱインディケータがＮＡＣＫを通知する場合、或いは、上述のスケジューリンググランドが再送の上りリンク共有信号の送信を指示する上りリンクスケジューリンググランドである場合、移動局１００は、１３１２Ａ（サブフレーム＃ｉ＋２０）において、再送の上りリンク共有信号の送信を行う。
【０２２７】
上述のスケジューリンググランドが新規の上りリンク共有信号の送信を指示する上りリンクスケジューリンググランドである場合、移動局１００は、１３１２Ａ（サブフレーム＃ｉ＋２０）において、新規送信の上りリンク共有信号の送信を行う。
【０２２８】
上述のＨＡＲＱインディケータがＡＣＫを通知する場合、移動局１００は、１３１２Ａ（サブフレーム＃ｉ＋２０）において、上りリンク共有信号の送信を行わない。
【０２２９】
本発明の第１の実施形態に係る移動通信システム（パターン７）の効果は、以下の通りである。
【０２３０】
パターン６においては、図１２における１３０８において柔軟なリソース割り当てを実現するために、１３０６におけるＨＡＲＱインディケータはＡＣＫであると看做され、上りリンクスケジューリンググランドにより再送が指示されるまで、移動局１００は、かかる上りリンク共有信号の再送を行わないという動作となっていた。
【０２３１】
しかしながら、かかる動作では、柔軟なリソース割り当てを実現できるものの、上りリンク共有信号が実際に再送されるタイミングが１３１２となり、大幅に遅れることになる。すなわち、上りリンク共有信号の再送が遅延するという問題が生じる。
【０２３２】
一方、パターン７においては、１３０８Ａにおいて、上りリンク共有信号が再送されるため、かかる遅延を低減することが可能となる。
【０２３３】
＜パターン８＞
パターン８のＨＡＲＱ制御について、図１４を参照して説明する。以下、パターン８のＨＡＲＱ制御について、上述したパターン１乃至７のＨＡＲＱ制御との相違点に着目して説明する。
【０２３４】
パターン８のＨＡＲＱ制御は、第３時間間隔が、ギャップ期間（移動局１００における測定のための時間間隔）と重なっていないが、第１時間間隔が、ギャップ期間と重なっている場合のＨＡＲＱ制御である。
【０２３５】
以下、図１４を参照して、ギャップ期間が、上りリンク共有信号に関するＨＡＲＱインディケータ又は再送を指示する上りリンクスケジューリンググランドを送信するサブフレームを含んでいないが、上りリンク共有信号を送信するサブフレームを含んでいる場合の基地局装置２００及び移動局１００の動作について説明する。
【０２３６】
本パターンにおいては、ギャップ期間により、送信が行われない上りリンク共有信号に対するＨＡＲＱインディケータ及び再送を指示する上りリンクスケジューリンググランドに関して、ＨＡＲＱインディケータは、送信されないが、上りリンクスケジューリンググランドは、送信されてもよいし、送信されなくてもよいとする。
【０２３７】
この場合、基地局装置２００は、上述の送信が行われない上りリンク共有信号に対するＨＡＲＱインディケータを送信せず、かつ、移動局１００は、上述の送信が行われない上りリンク共有信号に対するＨＡＲＱインディケータの受信を行わない（図１４における１４０６Ａ、図１５における１４０６Ｂ）。
【０２３８】
また、基地局装置２００は、移動局１００に対して上述の送信が行われない上りリンク共有信号の再送を指示する場合には、移動局１００に対して、上りリンクスケジューリンググランドを送信し（図１５における１４０６Ｂ）、移動局１００に対して上述の送信が行われない上りリンク共有信号の再送を指示しない場合には、移動局１００に対して、上りリンクスケジューリンググランドを送信しない（図１４における１４０６Ａ）。
【０２３９】
そして、移動局１００は、上述の送信が行われない上りリンク共有信号の再送を指示する上りリンクスケジューリンググランドを受信した場合には（図１５における１４０６Ｂ）、上述の上りリンク共有信号の再送を行い、上述の送信が行われない上りリンク共有信号の再送を指示する上りリンクスケジューリンググランドを受信しなかった場合には（図１４における１４０６Ａ）、ＨＡＲＱインディケータとしてＡＣＫを受信したものと看做す。
【０２４０】
以下では、再送を指示する上りリンクスケジューリンググランドが送信されない場合をパターン８において説明し、再送を指示する上りリンクスケジューリンググランドが送信される場合をパターン９において説明する。
【０２４１】
１４０２Ａ（サブフレーム＃ｉ）（ｉは、ｉ＞０の整数）において、基地局装置２００は、物理下りリンク制御チャネルにおける上りリンクスケジューリンググランドを用いて、移動局１００に対して、サブフレーム＃ｉ＋４において、上りリンクの共有チャネルを用いた通信を行うことを指示する。
【０２４２】
１４０４Ａ（サブフレーム番号＃ｉ＋４）は、移動局１００のギャップ期間に含まれているため、１４０４Ａ（サブフレーム番号＃ｉ＋４）において、移動局１００は、基地局装置２００に対して、上りリンク共有信号を送信することができない。
【０２４３】
１４０６Ａ（サブフレーム＃ｉ＋８）において、基地局装置２００は、移動局１００に対して、ＨＡＲＱインディケータを送信せず、かつ、上りリンクスケジューリンググランドも送信しない。
【０２４４】
基地局装置２００が、１４０６Ａにおいて、移動局１００に対して、上りリンクスケジューリンググランドを送信しない理由としては、例えば、１４０８ＡにおいてＰＲＡＣＨ信号が送信され、再送の上りリンク共有信号のための無線リソースが存在しないといったものが考えられる。
【０２４５】
１４０８Ａ（サブフレーム＃ｉ＋１２）において、移動局１００は、１４０４Ａにおいて送信するはずだった上りリンク共有信号の再送を行わない。これは、１４０６Ａにおいて上りリンクスケジューリンググランドを受信しなかったことに基づいて、１４０６ＡにおいてＨＡＲＱインディケータとしてＡＣＫを受信したと看做したためである。
【０２４６】
１４１０Ａ（サブフレーム＃ｉ＋１６）において、基地局装置２００は、移動局１００に対して、上りリンク共有信号の再送を指示する上りリンクスケジューリンググランドを送信する。
【０２４７】
１４１２Ａにおいて、移動局１００は、１４１０Ａ（サブフレーム＃ｉ＋１６）において受信した上りリンクスケジューリンググランドに基づいて、１４０４Ａにおいて送信するはずだった上りリンク共有信号を再送する。
【０２４８】
＜パターン９＞
パターン９のＨＡＲＱ制御について、図１５を参照して説明する。以下、パターン９のＨＡＲＱ制御について、上述したパターン８のＨＡＲＱ制御との相違点に着目して説明する。
【０２４９】
パターン９のＨＡＲＱ制御は、第３時間間隔が、ギャップ期間（移動局１００における測定のための時間間隔）と重なっていないが、第１時間間隔が、ギャップ期間と重なっている場合のＨＡＲＱ制御である。
【０２５０】
以下、図１５を参照して、ギャップ期間が、上りリンク共有信号に関するＨＡＲＱインディケータ又は再送を指示する上りリンクスケジューリンググランドを送信するサブフレームを含んでいないが、上りリンク共有信号を送信するサブフレームを含んでいる場合の基地局装置２００及び移動局１００の動作について説明する。
【０２５１】
１４０２Ｂ（サブフレーム＃ｉ）（ｉは、ｉ＞０の整数）において、基地局装置２００は、物理下りリンク制御チャネルにおける上りリンクスケジューリンググランドを用いて、移動局１００に対して、サブフレーム＃ｉ＋４において、上りリンクの共有チャネルを用いた通信を行うことを指示する。
【０２５２】
１４０４Ｂ（サブフレーム番号＃ｉ＋４）は、移動局１００のギャップ期間に含まれているため、１４０４Ｂ（サブフレーム番号＃ｉ＋４）において、移動局１００は、基地局装置２００に対して、上りリンク共有信号を送信することができない。
【０２５３】
１４０６Ｂ（サブフレーム＃ｉ＋８）において、基地局装置２００は、移動局１００に対して、上述の上りリンク共有信号の再送を指示する上りリンクスケジューリンググランドを送信する。
【０２５４】
１４０８Ｂ（サブフレーム＃ｉ＋１２）において、移動局１００は、１４０６Ｂ（サブフレーム＃ｉ＋８）において受信した上りリンクスケジューリンググランドに基づいて、１４０４Ｂにおいて送信するはずだった上りリンク共有信号を再送する。
【０２５５】
上述のパターン８、９に示すように、基地局装置２００が再送のための上りリンクスケジューリンググランドを送信しない場合に、すなわち、移動局１００が、再送のための上りリンクスケジューリンググランドを受信しない場合に、移動局１００が、ＨＡＲＱインディケータとしてＡＣＫを受信したと看做すことにより、後続する上りリンク共有信号の送信タイミング（図１４の１４０８Ａ、図１５の１４０８Ｂ）において、柔軟な無線リソースの割り当てが可能となる。
【０２５６】
ここで、柔軟な無線リソースの割り当てとは、例えば、上りリンク共有信号再送用の無線リソースとＰＲＡＣＨ用の無線リソースとが衝突する場合に、上述の上りリンク共有信号の再送を停止するといった処理のことを指す。
【０２５７】
＜パターン１０＞
パターン１０のＨＡＲＱ制御について、図１６を参照して説明する。以下、パターン１０のＨＡＲＱ制御について、上述したパターン１乃至９のＨＡＲＱ制御との相違点に着目して説明する。
【０２５８】
パターン１０のＨＡＲＱ制御は、第３時間間隔が、ギャップ期間（移動局１００における測定のための時間間隔）と重なっていないが、第１時間間隔が、ギャップ期間と重なっている場合のＨＡＲＱ制御である。
【０２５９】
以下、図１６を参照して、ギャップ期間が、上りリンク共有信号に関するＨＡＲＱインディケータ又は再送を指示する上りリンクスケジューリンググランドを送信するサブフレームを含んでいないが、上りリンク共有信号を送信するサブフレームを含んでいる場合の基地局装置２００及び移動局１００の動作について説明する。
【０２６０】
本パターンにおいては、ギャップ期間により、送信が行われない上りリンク共有信号に対する、ＨＡＲＱインディケータ及び再送を指示する上りリンクスケジューリンググランドに関して、ＨＡＲＱインディケータは送信され、上りリンクスケジューリンググランドは、送信されてもよいし、送信されなくてもよいとする。
【０２６１】
この場合、基地局装置２００は、移動局１００に対して上述の送信が行われない上りリンク共有信号の再送を指示する場合には、移動局１００に対して、上りリンクスケジューリンググランド又はＨＡＲＱインディケータを送信し（図１７における１４０６Ｄ）、移動局１００に対して上述の送信が行われない上りリンク共有信号の再送を指示しない場合には、移動局１００に対して、ＡＣＫを通知するＨＡＲＱインディケータを送信し、上りリンクスケジューリンググランドを送信しない（図１６における１４０６Ｃ）。
【０２６２】
そして、移動局１００は、上述の送信が行われない上りリンク共有信号の再送を指示する上りリンクスケジューリンググランド又はＨＡＲＱインディケータを受信した場合には（図１７における１４０６Ｄ）、上述の上りリンク共有信号の再送を行い、上述の送信が行われない上りリンク共有信号の再送を指示する上りリンクスケジューリンググランドを受信せず、かつ、ＡＣＫを通知するＨＡＲＱインディケータを受信した場合には（図１６における１４０６Ｃ）、ＡＣＫを通知するＨＡＲＱインディケータを受信したものと看做す。
【０２６３】
以下では、再送を指示する上りリンクスケジューリンググランドが送信されず、かつ、ＡＣＫを通知するＨＡＲＱインディケータが送信される場合をパターン１０において説明し、再送を指示する上りリンクスケジューリンググランド又はＨＡＲＱインディケータが送信される場合をパターン１１において説明する。
【０２６４】
１４０２Ｃ（サブフレーム＃ｉ）（ｉは、ｉ＞０の整数）において、基地局装置２００は、物理下りリンク制御チャネルにおける上りリンクスケジューリンググランドを用いて、移動局１００に対して、サブフレーム＃ｉ＋４において、上りリンクの共有チャネルを用いた通信を行うことを指示する。
【０２６５】
１４０４Ｃ（サブフレーム番号＃ｉ＋４）は、移動局１００のギャップ期間に含まれているため、１４０４Ｃ（サブフレーム番号＃ｉ＋４）において、移動局１００は、基地局装置２００に対して、上りリンク共有信号を送信することができない。
【０２６６】
１４０６Ｃ（サブフレーム＃ｉ＋８）において、基地局装置２００は、移動局１００に対して、ＡＣＫを通知するＨＡＲＱインディケータを送信し、かつ、上りリンクスケジューリンググランドを送信しない。
【０２６７】
基地局装置２００が、１４０６Ｃにおいて、移動局１００に対して、ＡＣＫを通知し、上りリンクスケジューリンググランドを送信しない理由としては、例えば、１４０８ＣにおいてＰＲＡＣＨ信号が送信され、再送の上りリンク共有信号のための無線リソースが存在しないといったものが考えられる。
【０２６８】
１４０８Ｃ（サブフレーム＃ｉ＋１２）において、移動局１００は、１４０４Ｃにおいて送信するはずだった上りリンク共有信号の再送を行わない。これは、１４０６ＣでＡＣＫを通知するＨＡＲＱインディケータを受信し、かつ、上りリンクスケジューリンググランドを受信しなかったことに基づく。
【０２６９】
１４１０Ｃ（サブフレーム＃ｉ＋１６）において、基地局装置２００は、移動局１００に対して、上りリンク共有信号の再送を指示する上りリンクスケジューリンググランドを送信する。
【０２７０】
１４１２Ｃにおいて、移動局１００は、１４１０Ｃ（サブフレーム＃ｉ＋１６）において受信した上りリンクスケジューリンググランドに基づいて、１４０４Ｃにおいて送信するはずだった上りリンク共有信号を再送する。
【０２７１】
なお、上述した例においては、１４０６Ｃにおいて、基地局装置２００は、移動局１００に対して、ＡＣＫを通知するＨＡＲＱインディケータを送信し、かつ、上りリンクスケジューリンググランドを送信しないという動作であったが、代わりに、基地局装置２００は、移動局１００に対して、ＡＣＫを通知するＨＡＲＱインディケータを送信し、かつ、新規送信を指示する上りリンクスケジューリンググランドを送信するという動作であってもよい。この場合、１４０４Ｃにおいて送信するはずだった上りリンク共有信号は送信されず、移動局１００により破棄される。
【０２７２】
＜パターン１１＞
パターン１１のＨＡＲＱ制御について、図１７を参照して説明する。以下、パターン１１のＨＡＲＱ制御について、上述したパターン１０のＨＡＲＱ制御との相違点に着目して説明する。
【０２７３】
パターン１１のＨＡＲＱ制御は、第３時間間隔が、ギャップ期間（移動局１００における測定のための時間間隔）と重なっていないが、第１時間間隔が、ギャップ期間と重なっている場合のＨＡＲＱ制御である。
【０２７４】
以下、図１７を参照して、ギャップ期間が、上りリンク共有信号に関するＨＡＲＱインディケータ又は再送を指示する上りリンクスケジューリンググランドを送信するサブフレームを含んでいないが、上りリンク共有信号を送信するサブフレームを含んでいる場合の基地局装置２００及び移動局１００の動作について説明する。
【０２７５】
１４０２Ｄ（サブフレーム＃ｉ）（ｉは、ｉ＞０の整数）において、基地局装置２００は、物理下りリンク制御チャネルにおける上りリンクスケジューリンググランドを用いて、移動局１００に対して、サブフレーム＃ｉ＋４において、上りリンクの共有チャネルを用いた通信を行うことを指示する。
【０２７６】
１４０４Ｄ（サブフレーム番号＃ｉ＋４）は、移動局１００のギャップ期間に含まれているため、１４０４Ｄ（サブフレーム番号＃ｉ＋４）において、移動局１００は、基地局装置２００に対して、上りリンク共有信号を送信することができない。
【０２７７】
１４０６Ｄ（サブフレーム＃ｉ＋８）において、基地局装置２００は、移動局１００に対して、上述の上りリンク共有信号の再送を指示する上りリンクスケジューリンググランド又はＨＡＲＱインディケータを送信する。ここで、ＨＡＲＱインディケータとしては、ＡＣＫであってもよいし、ＮＡＣＫであってもよい。
【０２７８】
より具体的には、基地局装置２００は、移動局１００に対して、上述の上りリンク共有信号の再送を指示する上りリンクスケジューリンググランド及びＡＣＫを示すＨＡＲＱインディケータを送信してもよい。
【０２７９】
或いは、基地局装置２００は、移動局１００に対して、上述の上りリンク共有信号の再送を指示する上りリンクスケジューリンググランドを送信せず、ＮＡＣＫを示すＨＡＲＱインディケータを送信してもよい。
【０２８０】
１４０８Ｄ（サブフレーム＃ｉ＋１２）において、移動局１００は、１４０６Ｄ（サブフレーム＃ｉ＋８）において受信した上りリンクスケジューリンググランド又はＨＡＲＱインディケータに基づいて、１４０４Ｄにおいて送信するはずだった上りリンク共有信号を再送する。
【０２８１】
なお、上述したパターン１０、１１に示したＨＡＲＱ制御は、サブフレーム＃ｉ＋４が移動局１００のギャップ期間に含まれていない場合の制御、すなわち、通常のＨＡＲＱの制御と同一になる。
【０２８２】
言い換えれば、上述したパターン１０、１１に示したＨＡＲＱ制御は、サブフレーム＃ｉ＋４が移動局１００のギャップ期間に含まれているか否かに関わらず、適用されてもよい。
【０２８３】
上述のパターン１０、１１に示すように、ギャップ期間により、送信が行われなかった上りリンク共有信号に対して、ＨＡＲＱインディケータ及び上りリンクスケジューリンググランドを送信することにより、後続する上りリンク共有信号の送信タイミング（図１６の１４０８Ｃ、図１７の１４０８Ｄ）において、柔軟な無線リソースの割り当てが可能となる。
【０２８４】
ここで、柔軟な無線リソースの割り当てとは、例えば、上りリンク共有信号再送用の無線リソースと、ＰＲＡＣＨ用の無線リソースとが衝突する場合に、上述の上りリンク共有信号の再送を停止するといった処理のことを指す。
【０２８５】
なお、上述したパターンの内、パターン１、２、６のＨＡＲＱ制御をまとめると、移動局１００は、第３時間間隔、すなわち、上りリンク共有信号に対するＨＡＲＱインディケータ、又は、かかる上りリンク共有信号に対する上りリンクスケジューリンググランドが送信されるタイムフレーム（サブフレーム）が、ギャップ期間（移動局１００における測定のための時間間隔）に含まれる場合に、かかる上りリンク共有信号が正しく復号されたと看做し、かかる上りリンク共有信号の再送を行わない。
【０２８６】
すなわち、移動局１００は、ギャップ期間に含まれていたＨＡＲＱインディケータチャネルがＡＣＫを通知したと看做す。この場合、かかる上りリンク共有信号は、上りリンクのスケジューリンググランドにより再送が指示されるまで、再送されない。
【０２８７】
また、上述した、図５、図７、図９、図１２、図１４、図１５のＨＡＲＱ制御をまとめると、移動局１００は、上りリンク共有信号を送信するタイムフレーム（サブフレーム）が、ギャップ期間（移動局１００における測定のための時間間隔）に含まれる場合に、かかる上りリンク共有信号が正しく復号されたと看做し、かかる上りリンク共有信号の再送を行わない。
【０２８８】
すなわち、移動局１００は、かかる上りリンク共有信号に対するＨＡＲＱインディケータチャネルがＡＣＫを通知したと看做す。この場合、かかる上りリンク共有信号は、上りリンクのスケジューリンググランドにより再送が指示されるまで、再送されない。
【０２８９】
或いは、上述した動作をさらにまとめて、移動局１００は、上りリンク共有信号に対するＨＡＲＱインディケータ、又は、かかる上りリンク共有信号に対する上りリンクスケジューリンググランドが送信されるタイムフレーム（サブフレーム）が、ギャップ期間（移動局１００における測定のための時間間隔）に含まれる場合に、かかる上りリンク共有信号が正しく復号されたと看做し、かかる上りリンク共有信号の再送を行わず、かつ、上りリンク共有信号を送信するタイムフレーム（サブフレーム）が、ギャップ期間（移動局１００における測定のための時間間隔）に含まれる場合に、かかる上りリンク共有信号が正しく復号されたと看做し、かかる上りリンク共有信号の再送を行わないという動作を行ってもよい。
【０２９０】
すなわち、移動局１００は、かかる上りリンク共有信号に対するＨＡＲＱインディケータチャネルがＡＣＫを通知したと看做す。この場合、かかる上りリンク共有信号は、上りリンクのスケジューリンググランドにより再送が指示されるまで、再送されない。
【０２９１】
或いは、パターン１、２、６のＨＡＲＱ制御と、図１６、図１７のＨＡＲＱ制御をまとめて、移動局１００は、上りリンク共有信号に対するＨＡＲＱインディケータ、又は、かかる上りリンク共有信号に対する上りリンクスケジューリンググランドが送信されるタイムフレーム（サブフレーム）が、ギャップ期間（移動局１００における測定のための時間間隔）に含まれる場合に、かかる上りリンク共有信号が正しく復号されたと看做し、かかる上りリンク共有信号の再送を行わないという動作を行い、上りリンク共有信号に対するＨＡＲＱインディケータ、又は、かかる上りリンク共有信号に対する上りリンクスケジューリンググランドが送信されるタイムフレーム（サブフレーム）が、ギャップ期間（移動局１００における測定のための時間間隔）に含まれない場合には、上りリンク共有信号を送信するタイムフレーム（サブフレーム）が、ギャップ期間（移動局１００における測定のための時間間隔）に含まれるか否かに関係なく、通常通りのＨＡＲＱ制御を行うという動作を行ってもよい。
【０２９２】
（変更例）
なお、上述の移動局１００や基地局装置２００の動作は、ハードウェアによって実施されてもよいし、プロセッサによって実行されるソフトウェアモジュールによって実施されてもよいし、両者の組み合わせによって実施されてもよい。
【０２９３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０２９４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局１００や基地局装置２００内に設けられていてもよい。また、かかる記憶媒体及びプロセッサは、ディスクリートコンポーネントとして移動局１００や基地局装置２００内に設けられていてもよい。
【０２９５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【０２９６】
【図１】本発明の第１の実施形態に係る移動通信システムの全体構成図である。
【図２】本発明の第１の実施形態に係る移動局の機能ブロック図である。
【図３】本発明の第１の実施形態に係る基地局装置の機能ブロック図である。
【図４】本発明の第１の実施形態に係る移動通信システムの動作（パターン１）を説明するための図である。
【図５】本発明の第１の実施形態に係る移動通信システムの動作（パターン１）を説明するための図である。
【図６】本発明の第１の実施形態に係る移動通信システムの動作（パターン２）を説明するための図である。
【図７】本発明の第１の実施形態に係る移動通信システムの動作（パターン２）を説明するための図である。
【図８】本発明の第１の実施形態に係る移動通信システムの動作（パターン３）を説明するための図である。
【図９】本発明の第１の実施形態に係る移動通信システムの動作（パターン３）を説明するための図である。
【図１０】本発明の第１の実施形態に係る移動通信システムの動作（パターン４）を説明するための図である。
【図１１】本発明の第１の実施形態に係る移動通信システムの動作（パターン５）を説明するための図である。
【図１２】本発明の第１の実施形態に係る移動通信システムの動作（パターン６）を説明するための図である。
【図１３】本発明の第１の実施形態に係る移動通信システムの動作（パターン７）を説明するための図である。
【図１４】本発明の第１の実施形態に係る移動通信システムの動作（パターン８）を説明するための図である。
【図１５】本発明の第１の実施形態に係る移動通信システムの動作（パターン９）を説明するための図である。
【図１６】本発明の第１の実施形態に係る移動通信システムの動作（パターン１０）を説明するための図である。
【図１７】本発明の第１の実施形態に係る移動通信システムの動作（パターン１１）を説明するための図である。
【図１８】ＬＴＥ方式の移動通信システムにおいて上りリンクの共有チャネル信号が再送される様子を示す図である。
【図１９】ＬＴＥ方式の移動通信システムにおけるＨＡＲＱ再送制御について説明するための図である。
【図２０】異周波数セル間のハンドオーバ制御について説明するための図である。
【図２１】異周波数セル間のハンドオーバ制御におけるギャップ期間について説明するための図である。
【図２２】ギャップ期間が存在する移動通信システムにおけるＨＡＲＱ再送制御について説明するための図である。
【図２３】ギャップ期間が存在する移動通信システムにおけるＨＡＲＱ再送制御の問題点ついて説明するための図である。
【図２４】ギャップ期間が存在する移動通信システムにおけるＨＡＲＱ再送制御の問題点ついて説明するための図である。
【符号の説明】
【０２９７】
１０００…移動通信システム
４００…コアネットワーク
３００…アクセスゲートウェイ装置
２００…基地局装置
１０２、２０１…アンプ部/受信部
１０３、２０２…Ｌ１受信部
１１０、２０３…ＭＡＣ処理部（ＵＬ）/ＵＬ-ＨＡＲＱ制御部
１１１、２０４…ＲＬＣ/ＰＤＣＰ処理部（ＵＬ）
２０５…伝送路インタフェース
２０６…呼処理部/Ｍｅａｓｕｒｅｍｅｎｔ制御部
１０５、２０７…ＲＬＣ/ＰＤＣＰ処理部（ＤＬ）
１０４、２０８…ＭＡＣ処理部（ＤＬ）
１０９、２０９…Ｌ１送信部
１０８、２１０…アンプ部/送信部
１００…移動局
１０６…アプリケーション
１０７…呼処理部/Ｍｅａｓｕｒｅｍｅｎｔ部
【図１】
0004376291.tif 000002
【図２】
0004376291.tif 000003
【図３】
0004376291.tif 000004
【図４】
0004376291.tif 000005
【図５】
0004376291.tif 000006
【図６】
0004376291.tif 000007
【図７】
0004376291.tif 000008
【図８】
0004376291.tif 000009
【図９】
0004376291.tif 000010
【図１０】
0004376291.tif 000011
【図１１】
0004376291.tif 000012
【図１２】
0004376291.tif 000013
【図１３】
0004376291.tif 000014
【図１４】
0004376291.tif 000015
【図１５】
0004376291.tif 000016
【図１６】
0004376291.tif 000017
【図１７】
0004376291.tif 000018
【図１８】
0004376291.tif 000019
【図１９】
0004376291.tif 000020
【図２０】
0004376291.tif 000021
【図２１】
0004376291.tif 000022
【図２２】
0004376291.tif 000023
【図２３】
0004376291.tif 000024
【図２４】
0004376291.tif 000025